(57)【要約】      （修正有）【課題】太陽電池の変換効率を向上させると共に、太陽電池モジュールの製造コストを低減する。【解決手段】太陽電池は、光電変換部と、前記光電変換部の一主面上の集電極７とを有し、前記集電極は、前記光電変換部側から順に第一導電層７１と第二導電層７２とを含み、かつ、前記第一導電層と前記第二導電層の間に、開口部が形成された絶縁層９を含み、前記第一導電層は前記絶縁層により被覆されており、前記第二導電層の一部が、前記絶縁層の前記開口部を通して前記第一導電層に導通されている。前記第一導電層および前記第二導電層の表面粗さを各々Ｒａ１およびＲａ２としたとき、Ｒａ２＝１．０〜１０．０μｍ、Ｒａ１＞Ｒａ２を満たすことが好ましい。【選択図】図１
2014229877.tif 000002
【特許請求の範囲】
【請求項１】
光電変換部と、前記光電変換部の一主面上の集電極とを有する太陽電池であって、
前記集電極は、前記光電変換部側から順に第一導電層と第二導電層とを含み、かつ、前記第一導電層と前記第二導電層の間に、開口部が形成された絶縁層を含み、
前記第一導電層は前記絶縁層により被覆されており、
前記第二導電層の一部が、前記絶縁層の前記開口部を通して前記第一導電層に導通されており、
前記第一導電層および前記第二導電層の表面粗さを各々Ｒａ１およびＲａ２としたとき、Ｒａ２＝１．０〜１０．０μｍ、Ｒａ１＞Ｒａ２を満たす、太陽電池。
【請求項２】
前記第一導電層の表面粗さが、Ｒａ１＝１．０〜１０．０μｍを満たす、請求項１に記載の太陽電池。
【請求項３】
前記第一導電層は低融点材料を含み、前記低融点材料の熱流動開始温度Ｔ１は前記光電変換部の耐熱温度よりも低温である、請求項１または２に記載の太陽電池。
【請求項４】
前記光電変換部は、一導電型結晶シリコン基板の一主面上に、シリコン系薄膜および透明電極層をこの順に有し、
前記透明電極層上に前記集電極を有し、
前記低融点材料の熱流動開始温度Ｔ１が２５０℃以下である、請求項１〜３のいずれか1項に記載の太陽電池。
【請求項５】
前記絶縁層が、前記光電変換部の第一導電層非形成領域上にも形成されている、請求項１〜４のいずれか１項に記載の太陽電池。
【請求項６】
前記第二導電層は、銅からなる、請求項１〜５のいずれか１項に記載の太陽電池。
【請求項７】
前記太陽電池と配線部材を備える太陽電池モジュールであって、
前記配線部材は、導電性微粒子を含有する導電性接着剤により、前記太陽電池の前記集電極と接着されており、
前記集電極は、前記配線部材と接着される領域の略全面に前記導電性接着剤を有し、かつ、前記導電性微粒子により、前記配線部材と導通されており、
前記太陽電池は、前記配線部材により、外部回路もしくは他の太陽電池と接続されている、請求項１〜６のいずれか１項に記載の太陽電池モジュール。
【請求項８】
前記集電極は、前記配線部材と接着される領域の全面に前記導電性接着剤を有し、前記配線部材と接していない、請求項７に記載の太陽電池モジュール。
【請求項９】
前記導電性接着剤に含まれる前記導電性微粒子は、粒子径が５μｍ〜１５μｍである、請求項７または８に記載の太陽電池モジュール。
【請求項１０】
前記導電性微粒子が、Ｎｉ粒子もしくはＡｇコートＣｕ粒子からなる、請求項７〜９のいずれか１項に記載の太陽電池モジュール。
【請求項１１】
前記配線部材の前記太陽電池側の最表面層が半田である、請求項７〜１０のいずれか１項に記載の太陽電池モジュール。
【請求項１２】
請求項１〜６のいずれか１項に記載の太陽電池を製造する方法であって、
前記光電変換部上に第一導電層が形成される第一導電層形成工程；
前記第一導電層上に絶縁層が形成される絶縁層形成工程；および
めっき法により第二導電層が形成されるめっき工程、をこの順に有し、
前記めっき工程において、前記第一導電層上の前記絶縁層の開口部を通じて、第二電極層を析出させる、太陽電池の製造方法。
【請求項１３】
請求項１２に記載の太陽電池を製造する方法であって、
前記光電変換部上に低融点材料を含む第一導電層が形成される第一導電層形成工程；
前記第一導電層上に絶縁層が形成される絶縁層形成工程；
前記第一導電層が加熱されるアニール工程；および
めっき法により第二導電層が形成されるめっき工程、をこの順に有し、
前記アニール工程において、前記低融点材料の熱流動開始温度Ｔ１よりも高温のアニール温度Ｔａで加熱処理が行われ、前記第一導電層上の絶縁層に前記開口部が形成される、太陽電池の製造方法。
【請求項１４】
前記アニール工程におけるアニール温度Ｔａが、前記光電変換部の耐熱温度よりも低温である、請求項１３に記載の太陽電池の製造方法。
【請求項１５】
前記アニール工程におけるアニール温度Ｔａが、２５０℃以下である、請求項１３に記載の太陽電池の製造方法。
【請求項１６】
前記光電変換部は、一導電型結晶シリコン基板の一主面上に、シリコン系薄膜および透明電極層をこの順に有し、前記透明電極層上に前記集電極が形成される、請求項１２〜１５のいずれか１項に記載の太陽電池の製造方法。
【発明の詳細な説明】
【技術分野】
【０００１】
本発明は、太陽電池およびその製造方法に関する。さらに、本発明は太陽電池モジュールに関する。
【背景技術】
【０００２】
エネルギー問題や地球環境問題が深刻化する中、化石燃料にかわる代替エネルギーとして、太陽電池が注目されている。太陽電池では、半導体接合等からなる光電変換部への光照射により発生したキャリア（電子および正孔）を外部回路に取り出すことにより、発電がおこなわれる。光電変換部で発生したキャリアを効率的に外部回路へ取出すために、太陽電池の光電変換部上には集電極が設けられる。
【０００３】
例えば、単結晶シリコン基板や多結晶シリコン基板を用いた結晶シリコン系の太陽電池では、受光面に細い金属からなる集電極が設けられる。また、結晶シリコン基板上に、非晶質シリコン層および透明電極層を有するヘテロ接合太陽電池でも、透明電極層上に集電極が設けられる。
【０００４】
太陽電池の集電極は、一般に、スクリーン印刷法により、銀ペーストをパターン印刷することにより形成される。この方法は、工程自体は単純であるが、銀の材料コストが大きいことや、樹脂を含有する銀ペースト材料が用いられるために、集電極の抵抗率が高くなるとの問題がある。銀ペーストを用いて形成された集電極の抵抗率を小さくするためには、銀ペーストを厚く印刷する必要がある。しかしながら、印刷厚みを大きくすると、電極の線幅も大きくなるため、電極の細線化が困難であり、集電極による遮光損が大きくなる。
【０００５】
これらの課題を解決するための手法として、材料コストおよびプロセスコストの面で優れるめっき法により集電極を形成する方法が知られている。例えば、特許文献１、２では、光電変換部を構成する透明電極上に、銅等からなる金属層がめっき法により形成された太陽電池法が開示されている。この方法においては、まず、光電変換部の透明電極層上に、集電極の形状に対応する開口部を有するレジスト材料層（絶縁層）が形成され、透明電極層のレジスト開口部に、電気めっきにより金属層が形成される。その後、レジストが除去されることで、所定形状の集電極が形成される。
【０００６】
また、特許文献３では、透明電極上にＳｉＯ２等の絶縁層を設けた後、絶縁層を貫通する溝を設けて透明電極層の表面または側面を露出させ、透明電極の露出部と導通するように金属集電極を形成する方法が開示されている。具体的には、透明電極層の露出部に光めっき法等により金属シードを形成し、この金属シードを起点として電気めっきにより金属電極を形成する方法が提案されている。このような方法によれば、特許文献１，２のようにレジストを用いる必要がないため、材料コストおよびプロセスコスト面でより有利である。また、低抵抗の金属シードを設けることにより、透明電極層と集電極との間の接触抵抗を低下させることができる。
【０００７】
また特許文献４では、導電性シードの凹凸を大きくすることにより、絶縁層製膜時に、光電変換部の導電性シード以外の部分の全面を覆い、導電性シード上に不連続な開口部を形成し、該開口部を通じてめっき層を形成する旨が記載されている。
【０００８】
一方、太陽電池における集電極とその下の光電変換部の密着性、また太陽電池モジュールを用いた場合における、太陽電池と、他の太陽電池もしくは外部電極とを接続するための配線部材と、前記集電極との密着性などの検討がなされている。
例えば、特許文献５では、めっき法により形成する集電極に関し、めっき時の電流量などを所定の範囲にすることにより、集電極のＲａを０．１〜０．６μｍに制御する方法が提案されている。この方法により、めっき電極と導電性接着剤との密着性を向上させている。また特許文献６では、ＩＴＯなどの透明電極層表面のＲａを５μｍ以上とすることで、集電極との密着性を高めることができる旨が記載されている。
【０００９】
特許文献７では、太陽電池の集電極を導電体（配線部材）により接続するに当たり、集電極は芯材と表面層からなる導電体（配線部材）の表面層に埋め込まれ、該埋め込み部分以外の領域を導電性微粒子を含む接着樹脂により接合することにより、反り応力、セル割れや電極剥がれなどの発生を抑制できる旨が記載されている。
【先行技術文献】
【特許文献】
【００１０】
【特許文献１】特開昭６０−６６４２６号公報
【特許文献２】特開２０００−５８８８５号公報
【特許文献３】特開２０１１−１９９０４５号公報
【特許文献４】特表２０１３−５０７７８１号公報
【特許文献５】特開２０１１−２０４９５５号公報
【特許文献６】特開２００７−００５１１７号公報
【特許文献７】ＷＯ２００８−０２３７９５号公報
【発明の概要】
【発明が解決しようとする課題】
【００１１】
上記特許文献３の方法によれば、高価なレジスト材料を用いることなく、めっき法により細線パターンの集電極を形成可能である。しかしながら、特許文献３では、絶縁層と透明電極層とを貫通する溝内で、透明電極層の側面と金属集電極とが接しているが、透明電極層の厚みは一般に１００ｎｍ程度であるため、両者の接触面積が小さい。そのため、透明電極と集電極との間の抵抗が高くなり、集電極としての機能を十分に発揮できないとの問題がある。
【００１２】
特許文献４では、凹凸が大きな導電性シードを用いて絶縁層を製膜することで絶縁層製膜の際に該凹凸上に開口部が形成されており、導電性シードの表面粗さは非常に大きく、この上にめっき層を形成した場合、めっき層の表面粗さも大きくなると考えられる。また導電性シードとめっき層の表面粗さの関係等についても何ら検討されておらず、モジュール化した際に信頼性の低下や破損等が生じると考えられる。
【００１３】
また特許文献５では、集電極のＲａが小さいため、集電極と導電性接着剤との密着性が不十分と考えられる。また所定のＲａとするために最表面の第二導電層を高電流密度条件下において形成する必要があるため、集電極が高抵抗になり、低抵抗化の観点からは課題が残る。また特許文献６では、ＩＴＯ等のＲａを上記範囲にするために集電極形成分以外の領域にマスクをして酸溶液に浸漬する必要があり、マスク製作工程等の工程数が増えるという問題があった。
【００１４】
また特許文献７では、集電極の略全面が配線部材に埋設し、集電極と配線部材が接着剤で接着されることになるが、接着剤が集電極と配線部材とを確実に接着させるためには、集電極の凸部の高さよりも接着剤の厚みを厚くするか、高い圧力での接続が必要になり、コストアップやセル割れによる工程不安定化が課題となる。
【００１５】
本発明は、上記のような太陽電池の集電極形成に関わる従来技術の問題点を解決し、太陽電池の変換効率を向上させると共に、太陽電池モジュールの製造コストを低減することを目的とする。
【課題を解決するための手段】
【００１６】
本発明者らは上記課題に鑑み鋭意検討した結果、所定の集電極を用いることにより、太陽電池の変換効率が向上可能であり、さらに太陽電池モジュールを製造する場合の製造コストを低減することが可能であることを見出し、本発明に至った。
【００１７】
すなわち、本発明は、以下に関する。
【００１８】
光電変換部と、前記光電変換部の一主面上の集電極とを有する太陽電池であって、前記集電極は、前記光電変換部側から順に第一導電層と第二導電層とを含み、かつ、前記第一導電層と前記第二導電層の間に、開口部が形成された絶縁層を含み、前記第一導電層は前記絶縁層により被覆されており、前記第二導電層の一部が、前記絶縁層の前記開口部を通して前記第一導電層に導通されており、前記第一導電層および前記第二導電層の表面粗さを各々Ｒａ１およびＲａ２としたとき、Ｒａ２＝１．０〜１０．０μｍ、Ｒａ１＞Ｒａ２を満たす、太陽電池。
【００１９】
前記第一導電層の表面粗さが、Ｒａ１＝１．０〜１０．０μｍを満たすことが好ましい。
【００２０】
前記第一導電層は低融点材料を含み、前記低融点材料の熱流動開始温度Ｔ１は前記光電変換部の耐熱温度よりも低温であることが好ましい。
【００２１】
前記光電変換部は、一導電型結晶シリコン基板の一主面上に、シリコン系薄膜および透明電極層をこの順に有し、前記透明電極層上に前記集電極を有し、前記低融点材料の熱流動開始温度Ｔ１が２５０℃以下であることが好ましい。
【００２２】
前記絶縁層が、前記光電変換部の第一導電層非形成領域上にも形成されていることが好ましい。
【００２３】
前記第二導電層は、銅からなることが好ましい。
【００２４】
また前記太陽電池と配線部材を備える太陽電池モジュールを用いることが好ましい。
【００２５】
前記配線部材は、導電性微粒子を含有する導電性接着剤により、前記太陽電池の前記集電極と接着されており、前記集電極は、前記配線部材と接着される領域の略全面に前記導電性接着剤を有し、かつ、前記導電性微粒子により、前記配線部材と導通されており、前記太陽電池は、前記配線部材により、外部回路もしくは他の太陽電池と接続されていることが好ましい。
【００２６】
前記集電極は、前記配線部材と接着される領域の全面に前記導電性接着剤を有し、前記配線部材と接していないことが好ましい。
【００２７】
前記導電性接着剤に含まれる前記導電性微粒子は、粒子径が５μｍ〜１５μｍであることが好ましい。
【００２８】
前記導電性微粒子が、Ｎｉ粒子もしくはＡｇコートＣｕ粒子からなることが好ましい。
【００２９】
前記配線部材の前記太陽電池側の最表面層が半田であることが好ましい。
【００３０】
前記太陽電池は、前記光電変換部上に第一導電層が形成される第一導電層形成工程；前記第一導電層上に絶縁層が形成される絶縁層形成工程；および、めっき法により第二導電層が形成されるめっき工程、をこの順に有し、前記めっき工程において、前記第一導電層上の前記絶縁層の開口部を通じて、第二電極層を析出させることにより作製することが好ましい。
【００３１】
前記光電変換部上に低融点材料を含む第一導電層が形成される第一導電層形成工程；前記第一導電層上に絶縁層が形成される絶縁層形成工程；  前記第一導電層が加熱されるアニール工程；および、めっき法により第二導電層が形成されるめっき工程、をこの順に有し、  前記アニール工程において、前記低融点材料の熱流動開始温度Ｔ１よりも高温のアニール温度Ｔａで加熱処理が行われ、前記第一導電層上の絶縁層に前記開口部が形成されることが好ましい。
【００３２】
前記アニール工程におけるアニール温度Ｔａが、前記光電変換部の耐熱温度よりも低温であることが好ましい。
【００３３】
前記アニール工程におけるアニール温度Ｔａが、２５０℃以下であることが好ましい。
【００３４】
前記光電変換部は、一導電型結晶シリコン基板の一主面上に、シリコン系薄膜および透明電極層をこの順に有し、前記透明電極層上に前記集電極が形成されることが好ましい。
【発明の効果】
【００３５】
本発明によれば、めっき法により集電極が形成可能であるため、集電極が低抵抗化され、太陽電池の変換効率を向上することができる。また、従来技術のめっき法による集電極の形成方法では、絶縁層のパターニングプロセスが必要であるが、本発明によればパターン形成のためのマスクやレジストを用いずにめっき法によるパターン電極の形成が可能である。また本発明では、第一導電層と第二導電層の間に絶縁層を有し、第一導電層および第二導電層の表面粗さを所定の範囲にすることで、第一導電層と第二導電層の密着性を向上させることができる。また第二導電層の表面粗さを所定の範囲にすることで、高信頼性の太陽電池を作製できる。そのため、高効率で高信頼性の太陽電池を安価に提供することができる。
【図面の簡単な説明】
【００３６】
【図１】本発明の太陽電池を示す模式的断面図である。
【図２】一実施形態にかかるヘテロ接合太陽電池を示す模式的断面図である。
【図３】本発明の一実施形態による太陽電池の製造工程の概念図である。
【図４】低融点材料の加熱時の形状変化の一例を示す概念図である。
【図５】低融点材料粉末の加熱時の形状変化、およびネッキングについて説明するための概念図である。
【図６】焼結ネッキングが生じた金属微粒子のＳＥＭ写真である。
【図７】本発明の一実施形態にかかる太陽電池モジュールの模式的断面図である。
【図８】本発明の一実施形態にかかる集電極と配線部材の模式的断面図である。
【図９】従来技術の一実施形態にかかる集電極と配線部材の模式的断面図である。
【図１０】めっき装置の構造模式図である。
【図１１】実施例における絶縁層の光学特性を示す図である。
【発明を実施するための形態】
【００３７】
図１に模式的に示すように、本発明の太陽電池１００は、光電変換部５０の一主面上に集電極７を備える。集電極７は、光電変換部５０側から順に、第一導電層７１と第二導電層７２とを含む。第一導電層７１と第二導電層７２との間には、開口部を有する絶縁層９が形成されている。第二導電層７２の一部は、例えば絶縁層９の開口部９ｈを介して、第一導電層７１に導通されている。
【００３８】
以下、本発明の一実施形態であるヘテロ接合結晶シリコン太陽電池（以下、「ヘテロ接合太陽電池」と記載する場合がある）を例として、本発明をより詳細に説明する。ヘテロ接合太陽電池は、一導電型の単結晶シリコン基板の表面に、単結晶シリコンとはバンドギャップの異なるシリコン系薄膜を有することで、拡散電位が形成された結晶シリコン系太陽電池である。シリコン系薄膜としては非晶質のものが好ましい。中でも、拡散電位を形成するための導電型非晶質シリコン系薄膜と結晶シリコン基板の間に、薄い真性の非晶質シリコン層を介在させたものは、変換効率の最も高い結晶シリコン太陽電池の形態の一つとして知られている。
【００３９】
図２は、本発明の一実施形態に係る結晶シリコン系太陽電池の模式的断面図である。結晶シリコン系太陽電池１０１は、光電変換部５０として、一導電型単結晶シリコン基板１の一方の面（光入射側の面）に、導電型シリコン系薄膜３ａおよび光入射側透明電極層６ａをこの順に有する。一導電型単結晶シリコン基板１の他方の面（光入射側の反対面）には、導電型シリコン系薄膜３ｂおよび裏面側透明電極層６ｂをこの順に有することが好ましい。光電変換部５０表面の光入射側透明電極層６ａ上には、第一導電層７１および第二導電層７２を含む集電極７が形成されている。第一導電層７１と第二導電層７２との間には開口部を有する絶縁層９が形成されている。
【００４０】
一導電型単結晶シリコン基板１と導電型シリコン系薄膜３ａ，３ｂとの間には、真性シリコン系薄膜２ａ，２ｂを有することが好ましい。裏面側透明電極層６ｂ上には裏面金属電極８を有することが好ましい。
【００４１】
まず、本発明の結晶シリコン系太陽電池における、一導電型単結晶シリコン基板１について説明する。一般的に単結晶シリコン基板は、導電性を持たせるために、シリコンに対して電荷を供給する不純物を含有している。単結晶シリコン基板は、シリコン原子に電子を導入するための原子（例えばリン）を含有させたｎ型と、シリコン原子に正孔を導入する原子（例えばボロン）を含有させたｐ型がある。すなわち、本発明における「一導電型」とは、ｎ型またはｐ型のどちらか一方であることを意味する。
【００４２】
ヘテロ接合太陽電池では、単結晶シリコン基板へ入射した光が最も多く吸収される入射側のへテロ接合を逆接合として強い電場を設けることで、電子・正孔対を効率的に分離回収することができる。そのため、光入射側のヘテロ接合は逆接合であることが好ましい。一方で、正孔と電子とを比較した場合、有効質量および散乱断面積の小さい電子の方が、一般的に移動度が大きい。以上の観点から、ヘテロ接合太陽電池に用いられる単結晶シリコン基板１は、ｎ型単結晶シリコン基板であることが好ましい。単結晶シリコン基板１は、光閉じ込めの観点から、表面にテクスチャ構造を有することが好ましい。
【００４３】
テクスチャが形成された一導電型単結晶シリコン基板１の表面に、シリコン系薄膜が製膜される。シリコン系薄膜の製膜方法としては、プラズマＣＶＤ法が好ましい。プラズマＣＶＤ法によるシリコン系薄膜の形成条件としては、基板温度１００〜３００℃、圧力２０〜２６００Ｐａ、高周波パワー密度０．００４〜０．８Ｗ／ｃｍ２が好ましく用いられる。シリコン系薄膜の形成に使用される原料ガスとしては、ＳｉＨ４、Ｓｉ２Ｈ６等のシリコン含有ガス、またはシリコン系ガスとＨ２との混合ガスが好ましく用いられる。
【００４４】
導電型シリコン系薄膜３は、一導電型または逆導電型のシリコン系薄膜である。例えば、一導電型単結晶シリコン基板１としてｎ型が用いられる場合、一導電型シリコン系薄膜、および逆導電型シリコン系薄膜は、各々ｎ型、およびｐ型となる。ｐ型またはｎ型シリコン系薄膜を形成するためのドーパントガスとしては、Ｂ２Ｈ６またはＰＨ３等が好ましく用いられる。また、ＰやＢといった不純物の添加量は微量でよいため、予めＳｉＨ４やＨ２で希釈された混合ガスを用いることが好ましい。導電型シリコン系薄膜の製膜時に、ＣＨ４、ＣＯ２、ＮＨ３、ＧｅＨ４等の異種元素を含むガスを添加して、シリコン系薄膜を合金化することにより、シリコン系薄膜のエネルギーギャップを変更することもできる。
【００４５】
シリコン系薄膜としては、非晶質シリコン薄膜、微結晶シリコン（非晶質シリコンと結晶質シリコンとを含む薄膜）等が挙げられる。中でも非晶質シリコン系薄膜を用いることが好ましい。例えば、一導電型単結晶シリコン基板１としてｎ型単結晶シリコン基板を用いた場合の光電変換部５０の好適な構成としては、透明電極層６ａ／ｐ型非晶質シリコン系薄膜３ａ／ｉ型非晶質シリコン系薄膜２ａ／ｎ型単結晶シリコン基板１／ｉ型非晶質シリコン系薄膜２ｂ／ｎ型非晶質シリコン系薄膜３ｂ／透明電極層６ｂの順の積層構成が挙げられる。この場合、前述の理由から、ｐ層側を光入射面とすることが好ましい。
【００４６】
真性シリコン系薄膜２ａ，２ｂとしては、シリコンと水素で構成されるｉ型水素化非晶質シリコンが好ましい。単結晶シリコン基板上に、ＣＶＤ法によってｉ型水素化非晶質シリコンが製膜されると、単結晶シリコン基板への不純物拡散を抑えつつ表面パッシベーションを有効に行うことができる。また、膜中の水素量を変化させることで、エネルギーギャップにキャリア回収を行う上で有効なプロファイルを持たせることができる。
【００４７】
ｐ型シリコン系薄膜は、ｐ型水素化非晶質シリコン層、ｐ型非晶質シリコンカーバイド層、またはｐ型非晶質シリコンオキサイド層であることが好ましい。不純物拡散の抑制や直列抵抗低下の観点ではｐ型水素化非晶質シリコン層が好ましい。一方、ｐ型非晶質シリコンカーバイド層およびｐ型非晶質シリコンオキサイド層は、ワイドギャップの低屈折率層であるため、光学的なロスを低減できる点において好ましい。
【００４８】
ヘテロ接合太陽電池１０１の光電変換部５０は、導電型シリコン系薄膜３ａ，３ｂ上に、透明電極層６ａ，６ｂを備えることが好ましい。透明電極層は、透明電極層形成工程により形成される。透明電極層６ａ，６ｂは、導電性酸化物を主成分とする。導電性酸化物としては、例えば、酸化亜鉛や酸化インジウム、酸化錫を単独または混合して用いることができる。導電性、光学特性、および長期信頼性の観点から、酸化インジウムを含んだインジウム系酸化物が好ましく、中でも酸化インジウム錫（ＩＴＯ）を主成分とするものがより好ましく用いられる。ここで「主成分とする」とは、含有量が５０重量％より多いことを意味し、７０重量％以上が好ましく、９０％重量以上がより好ましい。透明電極層は、単層でもよく、複数の層からなる積層構造でもよい。
【００４９】
透明電極層には、ドーピング剤を添加することができる。例えば、透明電極層として酸化亜鉛が用いられる場合、ドーピング剤としては、アルミニウムやガリウム、ホウ素、ケイ素、炭素等が挙げられる。透明電極層として酸化インジウムが用いられる場合、ドーピング剤としては、亜鉛や錫、チタン、タングステン、モリブデン、ケイ素等が挙げられる。透明電極層として酸化錫が用いられる場合、ドーピング剤としては、フッ素等が挙げられる。
【００５０】
ドーピング剤は、光入射側透明電極層６ａおよび裏面側透明電極層６ｂの一方もしくは両方に添加することができる。特に、光入射側透明電極層６ａにドーピング剤を添加することが好ましい。光入射側透明電極層６ａにドーピング剤を添加することで、透明電極層自体が低抵抗化されるとともに、透明電極層６ａと集電極７との間での抵抗損を抑制することができる。
【００５１】
光入射側透明電極層６ａの膜厚は、透明性、導電性、および光反射低減の観点から、１０ｎｍ以上１４０ｎｍ以下であることが好ましい。透明電極層６ａの役割は、集電極７へのキャリアの輸送であり、そのために必要な導電性があればよく、膜厚は１０ｎｍ以上であることが好ましい。膜厚を１４０ｎｍ以下にすることにより、透明電極層６ａでの吸収ロスが小さく、透過率の低下に伴う光電変換効率の低下を抑制することができる。また、透明電極層６ａの膜厚が上記範囲内であれば、透明電極層内のキャリア濃度上昇も防ぐことができるため、赤外域の透過率低下に伴う光電変換効率の低下も抑制される。
【００５２】
透明電極層の製膜方法は、特に限定されないが、スパッタ法等の物理気相堆積法や、有機金属化合物と酸素または水との反応を利用した化学気相堆積（ＭＯＣＶＤ）法等が好ましい。いずれの製膜方法においても、熱やプラズマ放電によるエネルギーを利用することもできる。
【００５３】
透明電極層作製時の基板温度は、適宜設定される。例えば、シリコン系薄膜として非晶質シリコン系薄膜が用いられる場合、２００℃以下が好ましい。基板温度を２００℃以下とすることにより、非晶質シリコン層からの水素の脱離や、それに伴うシリコン原子へのダングリングボンドの発生を抑制でき、結果として変換効率を向上させることができる。
【００５４】
裏面側透明電極層６ｂ上には、裏面金属電極８が形成されることが好ましい。裏面金属電極８としては、近赤外から赤外域の反射率が高く、かつ導電性や化学的安定性が高い材料を用いることが望ましい。このような特性を満たす材料としては、銀やアルミニウム等が挙げられる。裏面金属電極層の製膜方法は、特に限定されないが、スパッタ法や真空蒸着法等の物理気相堆積法や、スクリーン印刷等の印刷法等が適用可能である。
【００５５】
透明電極層６ａ上に、集電極７が形成される。集電極７は、第一導電層７１と、第二導電層７２とを含む。第一導電層７１は、導電性材料を含む。第一導電層７１に含まれる前記導電性材料は、光電変換部の耐熱温度よりも低温の熱流動開始温度Ｔ１を有する、低融点材料を含むことが好ましい。
【００５６】
本実施形態においては、第一導電層７１と第二導電層７２との間に開口部を有する絶縁層９が形成される。本発明の集電極７において、第二導電層７２の一部は、第一導電層７１に導通されている。ここで「一部が導通されている」とは、典型的には絶縁層に開口部が形成され、その開口部に第二導電層の材料が充填されていることによって、導通されている状態であり、また絶縁層の一部の膜厚が、数ｎｍ程度と非常に薄くなる（すなわち局所的に薄い膜厚の領域が形成される）ことによって、第二導電層７２が第一導電層７１に導通しているものも含む。例えば、第一導電層７１の導電性材料がアルミニウム等の金属材料である場合、その表面に形成された酸化被膜（絶縁層に相当）を介して第一導電層７１と第二導電層との間が導通されている状態が挙げられる。
【００５７】
本発明においては、第一導電層上に開口部を有する絶縁層が形成されている。また第二導電層７２の表面粗さは第一導電層７１より小さくなる。すなわち、第一導電層７１と第二導電層７２の表面粗さを各々Ｒａ１およびＲａ２としたとき、Ｒａ１＞Ｒａ２を満たす。
【００５８】
本発明においては、第一導電層と第二導電層の間に絶縁層を有することにより、第一導電層と第二導電層の密着性を向上させることができる。中でも、第一導電層の表面粗さＲａ１が１．０μｍ以上が好ましい。前記範囲にすることにより、第一導電層と第二導電層の密着性をより向上させることが可能となる。また本発明においては、Ｒａ２は１．０μｍ以上１０．０μｍ以下が好ましい。
【００５９】
ここで、図７（ａ）に示すように、太陽電池は、一般的に、配線部材３４により他の太陽電池または外部電極と接続した太陽電池モジュール２００として使用されている。この際、  図９（ｂ）に示すように、太陽電池と配線部材の接続は、一般的に、導電性微粒子を含む導電性接着剤や半田などの接着剤を太陽電池の集電極と配線部材の間に介して接着することにより行われるが、例えば、接着剤として導電性接着剤を用いた場合、従来より、導電性微粒子が集電極の凹部に埋まることによる導通不良や、導電性接着剤と集電極との剥れにより信頼性が低下するといった問題点があった。
【００６０】
上記問題点を解決するため、特許文献７に記載のように、太陽電池と配線部材を接続する際に、高い圧力を加えることで、集電極の凸部を配線部材に埋設し導通させ、さらに導電性接着剤を集電極と配線部材に接着させることでモジュールの信頼性を確保することが行われてきた。しかしながら、本発明者らの検討によれば、高い圧力を加えるとセル割れが発生しやすく工程が不安定になるといった課題が生じた。
【００６１】
本発明においては、第二導電層の表面粗さを上記Ｒａ２の範囲とすることにより、太陽電池モジュール２００を作製する際、導電性接着剤との密着性がより向上し、図８（ｂ）に示すように、集電極と配線部材とを導電性微粒子により導通させることができるため、信頼性をより向上させることが可能となる。この際、Ｒａ２は、１．０μｍ以上が好ましく、３．０μｍ以上がより好ましい。またモジュール作製時に使用する導電性接着剤との密着強度、導電性微粒子での導通の点から１０．０μｍ以下が好ましく、６．０μｍ以下がより好ましい。
【００６２】
絶縁層９に、第一導電層と第二導電層とを導通させるための開口部を形成する方法は特に制限されず、レーザ照射、機械的な孔開け、化学エッチング等の方法が採用できる。一実施形態では、第一導電層中の導電性材料として低融点材料を用い、該低融点材料を熱流動させることによって、その上に形成された絶縁層に開口部を形成する方法が挙げられる。
【００６３】
第一導電層中の低融点材料の熱流動により開口を形成する方法としては、低融点材料を含有する第一導電層７１上に絶縁層９を形成後、低融点材料の熱流動開始温度Ｔ１以上に加熱（アニール）して第一導電層の表面形状に変化が生じさせ、その上に形成されている絶縁層９に開口（き裂）を形成する方法；あるいは、低融点材料を含有する第一導電層７１上に絶縁層９を形成する際にＴ１以上に加熱することにより、低融点材料を熱流動させ、絶縁層の形成と同時に開口を形成する方法が挙げられる。
【００６４】
以下、第一導電層中の低融点材料の熱流動を利用して、絶縁層に開口を形成する方法を図面に基づいて説明する。なお、本発明においては、以下の実施形態に限定されない。
【００６５】
図３は、太陽電池の光電変換部５０上への集電極７の形成方法の一実施形態を示す工程概念図である。この実施形態では、まず、光電変換部５０が準備される（光電変換部準備工程、図３（Ａ））。例えば、ヘテロ接合太陽電池の場合は、前述のように、一導電型シリコン基板上に、シリコン系薄膜および透明電極層を備える光電変換部が準備される。
【００６６】
光電変換部の一主面上に、低融点材料７１１を含む第一導電層７１が形成される（第一導電層形成工程、図３（Ｂ））。第一導電層の表面粗さ（Ｒａ１）は、１．０μｍ以上が好ましい。上記範囲にすることにより、この上に形成する第二導電層との密着性をより向上させることができる。
【００６７】
第一導電層７１上には、絶縁層９が形成される（絶縁層形成工程、図３（Ｃ））。絶縁層９は、第一導電層７１上にのみ形成されていてもよく、光電変換部５０の第一導電層７１が形成されていない領域（第一導電層非形成領域）上にも形成されていてもよい。特に、ヘテロ接合太陽電池のように、光電変換部５０の表面に透明電極層が形成されている場合は、第一導電層非形成領域上にも絶縁層９が形成されることが好ましい。
【００６８】
絶縁層９が形成された後、加熱によるアニール処理が行われる（アニール工程、図３（Ｄ））。アニール処理により、第一導電層７１がアニール温度Ｔａに加熱され、低融点材料が熱流動することによって表面形状が変化し、それに伴って第一導電層７１上に形成された絶縁層９に変形が生じる。絶縁層９の変形は、典型的には、絶縁層への開口部９ｈの形成である。開口部９ｈは、例えばき裂状に形成される。
【００６９】
アニール処理により絶縁層９に開口部を形成した後に、めっき法により第二導電層７２が形成される（めっき工程、図３（Ｅ））。第一導電層７１は絶縁層９により被覆されているが、絶縁層９に開口部９ｈが形成された部分では、第一導電層７１が露出した状態である。そのため、第一導電層７１がめっき液に曝されることとなり、この開口部９ｈを起点として金属の析出が可能となる。このような方法によれば、集電極の形状に対応する開口部を有するレジスト材料層を設けずとも、集電極の形状に対応する第二導電層をめっき法により形成することができる。第二導電層の表面粗さ（Ｒａ２）は、Ｒａ１＞Ｒａ２を満たし、Ｒａ２が１．０μｍ以上１０．０μｍ以下であることが好ましい。このような表面粗さを有する第二導電層を用いることにより、モジュール化した際の配線部材との密着性をより向上させることができる。
【００７０】
（第一導電層）
第一導電層７１は、めっき法により第二導電層が形成される際の導電性下地層として機能する層である。そのため、第一導電層は電解めっきの下地層として機能し得る程度の導電性を有していればよい。なお、本明細書においては、体積抵抗率が１０−２Ω・ｃｍ以下であれば導電性であると定義する。また、体積抵抗率が、１０２Ω・ｃｍ以上であれば、絶縁性であると定義する。
【００７１】
本発明における第一導電層は、第二導電層を形成する側の表面の表面粗さをＲａ１、また第二導電層の表面粗さをＲａ２としたとき、Ｒａ１＞Ｒａ２を満たす。またＲａ１が１．０μｍ以上であることが好ましい。Ｒａ１を上記範囲とすることにより、その上に形成する絶縁層や第二導電層との密着性をより向上させることができる。
【００７２】
本発明においては、集電極として第一導電層／絶縁層／第二導電層の構成のものを用いており、後述のように、各層の製膜条件等によりＲａ２を所望の範囲に適宜設定しうると考えられるが、第一導電層上の絶縁層の表面粗さはＲａ１に影響を及ぼされうると考えられる。また同様にＲａ２もＲａ１に影響を及ぼされうると考えられる。従って、Ｒａ２を所定の範囲とするために、Ｒａ１を調整することが好ましい。この際、Ｒａ１は３．０μｍ以上が好ましく、６．０μｍ以上がより好ましい。また１０．０μｍ以下が好ましく、８．０μｍ以下がより好ましい。
【００７３】
後述のように、上記範囲にすることで、第二導電層のＲａ２を容易に調整できるため、上記太陽電池を太陽電池モジュールとして用いる際、第二導電層と配線部材との密着性をより向上でき、モジュール性能をより向上させることができる。特に、第二導電層と配線部材とを、導電性微粒子を含有する導電性接着剤により接着させる場合、密着性をより向上させることができる。
【００７４】
本発明においては、後述のように、第一導電層に含まれる導電性材料の粒子径、含有量、また粘度などの条件等を適宜調整することにより、Ｒａ１を容易に上記範囲に設定することが出来る。特に、導電性材料として低融点材料を用いた場合、低融点材料の粒子径や含有量、また低融点材料以外（高融点材料など）の種類、含有量、または粘度などを適宜調整することにより容易にＲａ１を上記範囲に設定することができる。
【００７５】
第一導電層７１の膜厚は、コスト的な観点から２０μｍ以下が好ましく、１５μｍ以下がより好ましい。一方、第一導電層７１のライン抵抗を所望の範囲とする観点から、膜厚は０．５μｍ以上が好ましく、１μｍ以上がより好ましい。
【００７６】
第一導電層７１は、導電性材料を含む。導電性材料としては、特に限定されず、例えば銀、銅、アルミニウムなどを用いることができる。導電性材料は、熱流動開始温度Ｔ１の低融点材料を含むことが好ましい。熱流動開始温度とは、加熱により材料が熱流動を生じ、低融点材料を含む層の表面形状が変化する温度であり、典型的には融点である。高分子材料やガラスでは、融点よりも低温で材料が軟化して熱流動を生じる場合がある。このような材料では、熱流動開始温度＝軟化点と定義できる。軟化点とは、粘度が４．５×１０６Ｐａ・ｓとなる温度である（ガラスの軟化点の定義に同じ）。
【００７７】
低融点材料は、アニール処理において熱流動を生じ、第一導電層７１の表面形状に変化を生じさせるものであることが好ましい。そのため、低融点材料の熱流動開始温度Ｔ１は、アニール温度Ｔａよりも低温であることが好ましい。また、本発明においては、光電変換部５０の耐熱温度よりも低温のアニール温度Ｔａでアニール処理が行われることが好ましい。したがって、低融点材料の熱流動開始温度Ｔ１は、光電変換部の耐熱温度よりも低温であることが好ましい。
【００７８】
光電変換部の耐熱温度とは、当該光電変換部を備える太陽電池（「太陽電池セル」または「セル」ともいう）あるいは太陽電池セルを用いて作製した太陽電池モジュールの特性が不可逆的に低下する温度である。例えば、図２に示すヘテロ接合太陽電池１０１では、光電変換部５０を構成する単結晶シリコン基板１は、５００℃以上の高温に加熱された場合でも特性変化を生じ難いが、透明電極層６や非晶質シリコン系薄膜２，３は２５０℃程度に加熱されると、熱劣化を生じたり、ドープ不純物の拡散を生じ、太陽電池特性の不可逆的な低下を生じる場合がある。そのため、ヘテロ接合太陽電池においては、第一導電層７１は、熱流動開始温度Ｔ１が２５０℃以下の低融点材料を含むことが好ましい。
【００７９】
低融点材料の熱流動開始温度Ｔ１の下限は特に限定されない。アニール処理時における第一導電層の表面形状の変化量を大きくして、絶縁層９に開口部９ｈを容易に形成する観点からは、第一導電層の形成工程において、低融点材料は熱流動を生じないことが好ましい。例えば、塗布や印刷により第一導電層が形成される場合は、乾燥のために加熱が行われることがある。この場合は、低融点材料の熱流動開始温度Ｔ１は、第一導電層の乾燥のための加熱温度よりも高温であることが好ましい。かかる観点から、低融点材料の熱流動開始温度Ｔ１は、８０℃以上が好ましく、１００℃以上がより好ましい。
【００８０】
低融点材料は、熱流動開始温度Ｔ１が上記範囲であれば、有機物であっても、無機物であってもよい。低融点材料は、電気的には導電性であっても、絶縁性でも良いが、導電性を有する金属材料であることが望ましい。低融点材料が金属材料であれば、第一導電層の抵抗値を小さくできるため、電気めっきにより第二導電層が形成される場合に、第二導電層の膜厚の均一性を高めることができる。また、低融点材料が金属材料であれば、光電変換部５０と集電極７との間の接触抵抗を低下させることも可能となる。
【００８１】
低融点材料としては、低融点金属材料の単体もしくは合金、複数の低融点金属材料の混合物を好適に用いることができる。低融点金属材料としては、例えば、インジウムやビスマス、ガリウム等が挙げられる。
【００８２】
第一導電層７１は、導電性材料として、上記の低融点材料に加えて、低融点材料よりも相対的に高温の熱流動開始温度Ｔ２を有する高融点材料を含有することが好ましい。第一導電層７１が高融点材料を有することで、第一導電層と第二導電層とを効率よく導通させることができ、太陽電池の変換効率を向上させることができる。例えば、低融点材料として表面エネルギーの大きい材料が用いられる場合、アニール処理により第一導電層７１が高温に曝されて、低融点材料が液相状態になると、図４に概念的に示すように、低融点材料の粒子が集合して粗大な粒状となり、第一導電層７１に断線を生じる場合がある。これに対して、高融点材料はアニール処理時の加熱によっても液相状態とならないため、第一導電層形成材料中に高融点材料を含有することによって、図４に示すような低融点材料の粗大化による第一導電層の断線が抑制され得る。
【００８３】
高融点材料の熱流動開始温度Ｔ２は、アニール温度Ｔａよりも高いことが好ましい。すなわち、第一導電層７１が低融点材料および高融点材料を含有する場合、低融点材料の熱流動開始温度Ｔ１、高融点材料の熱流動開始温度Ｔ２、およびアニール処理におけるアニール温度Ｔａは、Ｔ１＜Ｔａ＜Ｔ２を満たすことが好ましい。高融点材料は、絶縁性材料であっても導電性材料であってもよいが、第一導電層の抵抗をより小さくする観点から導電性材料が好ましい。また、低融点材料の導電性が低い場合は、高融点材料として導電性の高い材料を用いることにより、第一導電層全体としての抵抗を小さくすることができる。導電性の高融点材料としては、例えば、銀、アルミニウム、銅などの金属材料の単体もしくは、複数の金属材料を好ましく用いることができる。
【００８４】
第一導電層７１が低融点材料と高融点材料とを含有する場合、その含有比は、上記のような低融点材料粗大化による断線の抑止や、第一導電層の導電性、絶縁層への開口部の形成容易性（第二導電層の金属析出の起点数の増大）等の観点から、適宜に調整される。その最適値は、用いられる材料や粒径の組合せに応じて異なるが、例えば、低融点材料と高融点材料の重量比（低融点材料：高融点材料）は、５：９５〜６７：３３の範囲である。低融点材料：高融点材料の重量比は、１０：９０〜５０：５０がより好ましく、１５：８５〜３５：６５がさらに好ましい。
【００８５】
第一導電層７１の材料として、例えば、金属粒子等の粒子状低融点材料が用いられる場合、アニール処理による絶縁層への開口の形成を容易とする観点から、低融点材料の粒径ＤＬは、第一導電層の膜厚ｄの１／２０以上であることが好ましく、１／１０以上であることがより好ましい。低融点材料の粒径ＤＬは、０．２５μｍ以上が好ましく、０．５μｍ以上がより好ましい。また、第一導電層７１が、スクリーン印刷等の印刷法により形成される場合、粒子の粒径は、スクリーン版のメッシュサイズ等に応じて適宜に設定され得る。例えば、粒径は、メッシュサイズより小さいことが好ましく、メッシュサイズの１／２以下がより好ましい。なお、粒子が非球形の場合、粒径は、粒子の投影面積と等面積の円の直径（投影面積円相当径、Ｈｅｙｗｏｏｄ径）により定義される。
【００８６】
低融点材料の粒子の形状は特に限定されないが、扁平状等の非球形が好ましい。また、球形の粒子を焼結等の手法により結合させて非球形としたものも好ましく用いられる。一般に、金属粒子が液相状態となると、表面エネルギーを小さくするために、表面形状が球形となりやすい。アニール処理前の第一導電層の低融点材料が非球形であれば、アニール処理により熱流動開始温度Ｔ１以上に加熱されると、粒子が球形に近付くため、第一導電層の表面形状の変化量がより大きくなる。そのため、第一導電層７１上の絶縁層９への開口部の形成が容易となる。  
【００８７】
前述のごとく、第一導電層７１は導電性であり、体積抵抗率が１０−２Ω・ｃｍ以下であればよい。第一導電層７１の体積抵抗率は、１０−４Ω・ｃｍ以下であることが好ましい。第一導電層が低融点材料のみを有する場合は、低融点材料が導電性を有していればよい。第一導電層が、低融点材料および高融点材料を含有する場合は、低融点材料および高融点材料のうち、少なくともいずれか一方が導電性を有していればよい。例えば、低融点材料／高融点材料の組合せとしては、絶縁性／導電性、導電性／絶縁性、導電性／導電性が挙げられるが、第一導電層をより低抵抗とするためには、低融点材料および高融点材料の双方が導電性を有する材料であることが好ましい。
【００８８】
第一導電層７１の材料として上記のような低融点材料と高融点材料との組合せ以外に、材料の大きさ（例えば、粒径）等を調整することにより、アニール処理時の加熱による第一導電層の断線を抑制し、変換効率を向上させることも可能である。例えば、銀、銅、金等の高い融点を有する材料も、粒径が１μｍ以下の微粒子であれば、融点よりも低温の２００℃程度あるいはそれ以下の温度Ｔ１’で焼結ネッキング（微粒子の融着）を生じるため、本発明の「低融点材料」として用いることができる。このような焼結ネッキングを生じる材料は、焼結ネッキング開始温度Ｔ１’以上に加熱されると、微粒子の外周部付近に変形が生じるため、第一導電層の表面形状を変化させ、絶縁層９に開口部を形成することができる。また、微粒子が焼結ネッキング開始温度以上に加熱された場合であっても、融点Ｔ２’未満の温度であれば微粒子は固相状態を維持するため、図４に示すような材料の粗大化による断線が生じ難い。すなわち、金属微粒子等の焼結ネッキングを生じる材料は、本発明における「低融点材料」でありながら、「高融点材料」としての側面も有しているといえる。
【００８９】
このような焼結ネッキングを生じる材料では、焼結ネッキング開始温度Ｔ１’＝熱流動開始温度Ｔ１と定義できる。図５は、焼結ネッキング開始温度について説明するための図である。図５（Ａ）は、焼結前の粒子を模式的に示す平面図である。焼結前であることから、粒子は互いに点で接触している。図５（Ｂ）および図５（Ｃ）は、焼結が開始した後の粒子を、各粒子の中心を通る断面で切ったときの様子を模式的に示す断面図である。図５（Ｂ）は焼結開始後（焼結初期段階）、図５（Ｃ）は、（Ｂ）から焼結が進行した状態を示している。図５（Ｂ）において、粒子Ａ（半径ｒＡ）と粒子Ｂ（半径ｒＢ）との粒界は長さａＡＢの点線で示されている。
【００９０】
焼結ネッキング開始温度Ｔ１’は、ｒＡとｒＢの大きい方の値ｍａｘ（ｒＡ，ｒＢ）と、粒界の長さａＡＢとの比、ａＡＢ／ｍａｘ（ｒＡ，ｒＢ）が、０．１以上となるときの温度で定義される。すなわち、少なくとも一対の粒子のａＡＢ／ｍａｘ（ｒＡ，ｒＢ）が０．１以上となる温度を焼結ネッキング開始温度という。なお、図６では単純化のために、粒子を球形として示しているが、粒子が球形でない場合は、粒界近傍における粒子の曲率半径を粒子の半径とみなす。また、粒界近傍における粒子の曲率半径が場所によって異なる場合は、測定点の中で最も大きな曲率半径を、その粒子の半径とみなす。例えば、図６（Ａ）に示すように、焼結を生じた一対の微粒子Ａ，Ｂ間には、長さａＡＢの粒界が形成されている。この場合、粒子Ａの粒界近傍の形状は、点線で示された仮想円Ａの弧で近似される。一方、粒子Ｂの粒界近傍は、一方が破線で示された仮想円Ｂ１の弧で近似され、他方が実線で示された仮想円Ｂ２の弧で近似される。図６（Ｂ）に示されるように、ｒＢ２＞ｒＢ１であるため、ｒＢ２を粒子Ｂの半径ｒＢとみなす。なお、上記の仮想円は、断面もしくは表面の観察像の白黒２値化処理により境界を定め、粒界近傍の境界の座標に基づいて最小二乗法により中心座標および半径を算出する方法により、決定できる。なお、上記の定義により焼結ネッキング開始温度を厳密に測定することが困難な場合は、微粒子を含有する第一導電層を形成し、加熱により絶縁層に開口部（き裂）が生じる温度を焼結ネッキング開始温度とみなすことができる。後述するように、絶縁層形成時に加熱が行われる場合は、絶縁層形成時の基板の加熱により開口部（き裂）が生じる温度を焼成ネッキング開始温度とみなすことができる。
【００９１】
また、上記のように、第一導電層の導電性材料として、低融点材料を有するもの以外に、例えば、低融点材料を有さないもの（例えば上記高融点材料のみ、など）を用いることもできる。低融点材料を有さない場合であっても、上述のように、第一導電層を覆うように絶縁層を製膜した後、絶縁層に開口部を別途形成する方法などにより、第一導電層上の絶縁層に開口部を形成することができる。
【００９２】
第一導電層の形成材料には、上記の導電性材料（例えば、低融点材料および／または高融点材料）に加えて、絶縁性材料を含むことが好ましい。絶縁性材料としては、バインダー樹脂等を含有するペースト等を好ましく用いることができる。また、スクリーン印刷法により形成された第一導電層の導電性を十分向上させるためには、熱処理により第一導電層を硬化させることが望ましい。したがって、ペーストに含まれるバインダー樹脂としては、上記乾燥温度にて硬化させることができる材料を用いることが好ましく、エポキシ系樹脂、フェノール系樹脂、アクリル系樹脂等が適用可能である。
【００９３】
導電性材料として低融点材料を含むものを用いる場合、バインダー樹脂の硬化とともに低融点材料の形状が変化し、図３（Ｄ）に示すように、アニール処理時に、低融点材料近傍の絶縁層に開口（き裂）が生じやすくなる。なお、バインダー樹脂と導電性材料の比率は、いわゆるパーコレーションの閾値（導電性が発現する導電性材料含有量に相当する比率の臨界値）以上になるように設定すればよい。
【００９４】
第一導電層７１は、インクジェット法、スクリーン印刷法、導線接着法、スプレー法、真空蒸着法、スパッタ法等の公知技術によって作製できる。第一導電層７１は、櫛形等の所定形状にパターン化されていることが好ましい。パターン化された第一導電層の形成には、生産性の観点からスクリーン印刷法が適している。スクリーン印刷法では、導電性材料を含む印刷ペースト、および集電極のパターン形状に対応した開口パターンを有するスクリーン版を用いて、集電極パターンを印刷する方法が好ましく用いられる。
【００９５】
一方、印刷ペーストとして、溶剤を含む材料が用いられる場合には、溶剤を除去するための乾燥工程が必要となる。前述のごとく、この場合の乾燥温度は、光電変換部の耐熱温度よりも低いことが好ましい。例えば、光電変換部に透明電極層や非晶質シリコン系薄膜などを有する場合、乾燥温度は２５０℃以下であることが好ましく、２００℃以下であることがより好ましく、１８０℃以下であることがさらに好ましい。また低融点材料を用いる場合、低融点材料の熱流動開始温度Ｔ１よりも高温であることが好ましい。乾燥時間は、例えば５分間〜１時間程度で適宜に設定され得る。
【００９６】
上述のように、第一導電層に含まれる導電性材料の材料、粒子径、または含有量などを適宜調整することにより、Ｒａ１を所定の範囲に容易に設定できる。例えば、第一導電層に印刷ペーストを有するものを用いた場合、印刷ペーストの粘度は、２０Ｐａ・s以上５００Ｐａ・s以下が好ましい。上記範囲とすることで、第一導電層のＲａ１をより容易に所定の範囲にすることが可能となる。
【００９７】
粘度を２０Ｐａ・ｓ以上とすることにより、高いアスペクト比とすることができ、遮光ロスやライン抵抗を軽減することができる。中でも５０Ｐａ・s以上であることがより好ましく、８０Ｐａ・s以上であることが特に好ましい。また透明導電層とのコンタクトを良好にするため印刷ペーストの粘度は５００Ｐａ・s以下であることが好ましく、４００Ｐａ・s以下であることがより好ましく、３００Ｐａ・s以下であることが特に好ましい。
【００９８】
第一導電層は、複数の層から構成されてもよい。例えば、光電変換部表面の透明電極層との接触抵抗が低い下層と、導電性材料を含む上層からなる積層構造であっても良い。このような構造によれば、透明電極層との接触抵抗の低下に伴う太陽電池の曲線因子向上が期待できる。また、例えば、低融点材料含有層と、高融点材料含有層との積層構造や、導電性材料の含有量が多い下層と、導電性材料の含有量が少ない上層の積層構造とすることにより、第一導電層のさらなる低抵抗化が期待できる。
【００９９】
以上、第一導電層が印刷法により形成される場合を中心に説明したが、第一導電層の形成方法は印刷法に限定されるものではない。例えば、第一導電層は、パターン形状に対応したマスクを用いて、蒸着法やスパッタ法により形成されてもよい。またインクジェット法などによりパターン形成されてもよい。
【０１００】
（絶縁層）
第一導電層７１上には、絶縁層９が形成される。ここで、第一導電層７１が所定のパターン（例えば櫛形）に形成された場合、光電変換部５０の表面上には、第一導電層が形成されている第一導電層形成領域と、第一導電層が形成されていない第一導電層非形成領域とが存在する。
【０１０１】
絶縁層９は、少なくとも第一導電層形成領域に形成される。本発明において、絶縁層９は、第一導電層７１と第二導電層７２との付着力の向上にも寄与すると考えられる。一般的に、集光効率を向上させる観点から細線化した集電極が好ましく用いられ、この場合、第一導電層と第二導電層の間の密着性をより向上させることが望まれている。
【０１０２】
本発明では、第一導電層と第二導電層の間に絶縁層を形成し、かつ、第一導電層のＲａ１を所定の範囲にすることにより、絶縁層の第二導電層側の表面に凹凸構造を容易に形成することができ、その上に形成する第二導電層との密着性が向上すると考えられる。その結果、集電極を細線化した際も、第一導電層と第二導電層の間の剥離防止効果がより期待できる。これにより、歩留まりの向上（剥がれ防止による効果）や集光効率の向上（細線化による効果）などがより期待できると考えられる。
【０１０３】
特に第一導電層としてＡｇ層等を用い、その上にめっき法によりＣｕ層が形成される場合などＡｇ層とＣｕ層の付着力は小さいが、酸化シリコン等の絶縁層上に、酸化シリコン等の絶縁層上にＣｕ層が形成されることにより、第二導電層の付着力が高められ、太陽電池の信頼性を向上することが期待される。
【０１０４】
本発明において、絶縁層９は、第一導電層非形成領域上にも形成されていることが好ましく、第一導電層非形成領域の全面に形成されていることが特に好ましい。絶縁層が第一導電層非形成領域にも形成されている場合、めっき法により第二導電層が形成される際に、光電変換部をめっき液から化学的および電気的に保護することが可能となる。例えば、ヘテロ接合太陽電池のように光電変換部５０の表面に透明電極層が形成されている場合は、透明電極層の表面に絶縁層が形成されることで、透明電極層とめっき液との接触が抑止され、透明電極層上への金属層（第二導電層）の析出を防ぐことができる。また、生産性の観点からも、第一導電層形成領域と第一導電層非形成領域との全体に絶縁層が形成されることがより好ましい。さらに、この場合、第一導電層が絶縁層により覆われているため、第一導電層を細線化した場合であっても、基板からの第一導電層の剥離を防止できるため、歩留まり向上効果がより期待できる。
【０１０５】
絶縁層９の材料としては、電気的に絶縁性を示す材料が用いられる。また、絶縁層９は、めっき液に対する化学的安定性を有する材料であることが望ましい。めっき液に対する化学的安定性が高い材料を用いることにより、第二導電層形成時のめっき工程中に、絶縁層が溶解しにくく、光電変換部表面へのダメージが生じにくくなる。また、第一導電層非形成領域上にも絶縁層９が形成される場合、絶縁層は、光電変換部５０との付着強度が大きいことが好ましい。例えば、ヘテロ接合太陽電池では、絶縁層９は、光電変換部５０表面の透明電極層６ａとの付着強度が大きいことが好ましい。透明電極層と絶縁層との付着強度を大きくすることにより、めっき工程中に、絶縁層が剥離しにくくなり、透明電極層上への金属の析出を防ぐことができる。
【０１０６】
絶縁層９には、光吸収が少ない材料を用いることが好ましい。絶縁層９は、光電変換部５０の光入射面側に形成されるため、絶縁層による光吸収が小さければ、より多くの光を光電変換部へ取り込むことが可能となる。例えば、絶縁層９が透過率９０％以上の十分な透明性を有する場合、絶縁層での光吸収による光学的な損失が小さく、第二導電層形成後に絶縁層を除去することなく、そのまま太陽電池として使用することができる。そのため、太陽電池の製造工程を単純化でき、生産性をより向上させることが可能となる。絶縁層９が除去されることなくそのまま太陽電池として使用される場合、絶縁層９は、透明性に加えて、十分な耐候性、および熱・湿度に対する安定性を有する材料を用いることがより望ましい。
【０１０７】
絶縁層の材料は、無機絶縁性材料でも、有機絶縁性材料でもよい。無機絶縁性材料としては、例えば、酸化シリコン、窒化シリコン、酸化チタン、酸化アルミニウム、酸化マグネシウム、酸化亜鉛等の材料を用いることができる。有機絶縁性材料としては、例えば、ポリエステル、エチレン酢酸ビニル共重合体、アクリル、エポキシ、ポリウレタン等の材料を用いることができる。アニール処理における第一導電層の表面形状の変化に伴って生じる界面の応力等による、絶縁層への開口の形成を容易とする観点から、絶縁層の材料は、破断伸びが小さい無機材料であることが好ましい。
【０１０８】
このような無機材料の中でも、めっき液耐性や透明性の観点からは、酸化シリコン、窒化シリコン、酸化窒化シリコン、酸化アルミニウム、サイアロン（ＳｉＡｌＯＮ）、酸化イットリウム、酸化マグネシウム、チタン酸バリウム、酸化サマリウム、タンタル酸バリウム、酸化タンタル、フッ化マグネシウム、酸化チタン、チタン酸ストロンチウム等が好ましく用いられる。中でも、電気的特性や透明電極層との密着性等の観点からは、酸化シリコン、窒化シリコン、酸化窒化シリコン、酸化アルミニウム、サイアロン（ＳｉＡｌＯＮ）、酸化イットリウム、酸化マグネシウム、チタン酸バリウム、酸化サマリウム、タンタル酸バリウム、酸化タンタル、フッ化マグネシウム等が好ましく、屈折率を適宜に調整し得る観点からは、酸化シリコンや窒化シリコン等が特に好ましく用いられる。なお、これらの無機材料は、化学量論的（stoichiometric）組成を有するものに限定されず、酸素欠損等を含むものであってもよい。
【０１０９】
絶縁層９の膜厚は、絶縁層の材料や形成方法に応じて適宜設定される。第一導電層として、低融点材料を含むものを用いる場合、絶縁層９の膜厚は、アニール処理における第一導電層の表面形状の変化に伴って生じる界面の応力等によって、絶縁層に開口部が形成され得る程度に薄いことが好ましい。かかる観点から、絶縁層９の膜厚は、１０００ｎｍ以下であることが好ましく、５００ｎｍ以下であることがより好ましい。また、第一導電層非形成部における絶縁層９の光学特性や膜厚を適宜設定することで、光反射特性を改善し、太陽電池セル内部へ導入される光量を増加させ、変換効率をより向上させることが可能となる。このような効果を得るためには、絶縁層９の屈折率が、光電変換部５０表面の屈折率よりも低いことが好ましい。また、絶縁層９に好適な反射防止特性を付与する観点から、膜厚は３０ｎｍ〜２５０ｎｍの範囲内で設定されることが好ましく、５０ｎｍ〜２５０ｎｍの範囲内で設定されることがより好ましい。なお、第一導電層形成領域上の絶縁層の膜厚と第一導電層非形成領域上の絶縁層の膜厚は異なっていてもよい。例えば、第一導電層形成領域では、アニール処理による開口部の形成を容易とする観点で絶縁層の膜厚が設定され、第一導電層非形成領域では、適宜の反射防止特性を有する光学膜厚となるように絶縁層の膜厚が設定されてもよい。
【０１１０】
ヘテロ接合太陽電池のように、光電変換部５０の表面に透明電極層（一般には屈折率：１．９〜２．１程度）を有する場合、界面での光反射防止効果を高めて太陽電池セル内部へ導入される光量を増加させるために、絶縁層の屈折率は、空気（屈折率＝１．０）と透明電極層との中間的な値であることが好ましい。また、太陽電池セルが封止されてモジュール化される場合、絶縁層の屈折率は、封止剤と透明電極層の中間的な値であることが好ましい。かかる観点から、絶縁層９の屈折率は、例えば１．４〜１．９が好ましく、１．５〜１．８がより好ましく、１．５５〜１．７５がさらに好ましい。また、屈折率を上記範囲にすることで、めっき液に対する撥水性を抑制できることから、めっき層の膜厚、膜質を容易に調整できると考えられる。
【０１１１】
絶縁層の屈折率は、絶縁層の材料、組成等により所望の範囲に調整され得る。例えば、酸化シリコンの場合は、酸素含有量を小さくすることにより、屈折率が高くなる。なお、本明細書における屈折率は、特に断りがない限り、波長５５０ｎｍの光に対する屈折率であり、分光エリプソメトリーにより測定される値である。また、絶縁層の屈折率に応じて、反射防止特性が向上するように絶縁層の光学膜厚（屈折率×膜厚）が設定されることが好ましい。
【０１１２】
絶縁層は、公知の方法を用いて形成できる。例えば、酸化シリコンや窒化シリコン等の無機絶縁性材料の場合は、プラズマＣＶＤ法、スパッタ法等の乾式法が好ましく用いられる。また、有機絶縁性材料の場合は、スピンコート法、スクリーン印刷法等の湿式法が好ましく用いられる。これらの方法によれば、ピンホール等の欠陥が少なく、緻密な構造の膜を形成することが可能となる。
【０１１３】
中でも、より緻密な構造の膜を形成する観点から、絶縁層９はプラズマＣＶＤ法で形成されることが好ましい。この方法により、２００ｎｍ程度の厚いものだけでなく、３０〜１００ｎｍ程度の薄い膜厚の絶縁層を形成した場合も、緻密性の高い構造の膜を形成することができる。
【０１１４】
例えば、図２に示す結晶シリコン系太陽電池のように、光電変換部５０の表面にテクスチャ構造（凹凸構造）を有する場合、テクスチャの凹部や凸部にも精度よく膜形成できる観点からも、絶縁層はプラズマＣＶＤ法により形成されることが好ましい。緻密性が高い絶縁層を用いることにより、めっき処理時の透明電極層へのダメージを低減できることに加えて、透明電極層上への金属の析出を防止することができる。このように緻密性が高い絶縁膜は、図２の結晶シリコン系太陽電池におけるシリコン系薄膜３のように、光電変換部５０内部の層に対しても、水や酸素などのバリア層として機能し得るため、太陽電池の長期信頼性の向上の効果も期待できる。
【０１１５】
なお、第一導電層７１と第二導電層７２との間にある絶縁層９、すなわち第一導電層形成領域上の絶縁層９の形状は、必ずしも連続した層状でなくてもよく、島状であっても良い。なお、本明細書における「島状」との用語は、表面の一部に、絶縁層９が形成されていない非形成領域を有する状態を意味する。
【０１１６】
本発明において、絶縁層９は、第一導電層７１と第二導電層７２との付着力の向上にも寄与し得る。例えば、下地電極層であるＡｇ層上にめっき法によりＣｕ層が形成される場合、Ａｇ層とＣｕ層との付着力は小さいが、酸化シリコン等の絶縁層上にＣｕ層が形成されることにより、第二導電層の付着力が高められ、太陽電池の信頼性を向上することが期待される。
【０１１７】
上述のように、第一導電層として例えば低融点材料を有する場合、第一導電層７１上に絶縁層が形成された後、第二導電層７２が形成される前にアニール処理が行われる。アニール処理時に、第一導電層７１が低融点材料の熱流動開始温度Ｔ１よりも高温に加熱され、低融点材料が流動状態となるために、第一導電層の表面形状が変化する。この変化に伴って、その上に形成される絶縁層９に開口部９ｈが形成される。したがって、その後のめっき工程において、第一導電層７１の表面の一部が、めっき液に曝されて導通するため、図３（Ｅ）に示すように、この導通部を起点として金属を析出させることが可能となる。
【０１１８】
なお、この場合、開口部は主に第一導電層７１の低融点材料７１１上に形成される。低融点材料が絶縁性材料の場合、開口部の直下は絶縁性であるが、低融点材料の周辺に存在する導電性の高融点材料にもめっき液が浸透するために、第一導電層とめっき液とを導通させることが可能である。
【０１１９】
アニール処理時におけるアニール温度（加熱温度）Ｔａは、低融点材料の熱流動開始温度Ｔ１よりも高温、すなわちＴ１＜Ｔａであることが好ましい。アニール温度Ｔａは、Ｔ１＋１℃≦Ｔａ≦Ｔ１＋１００℃を満たすことがより好ましく、Ｔ１＋５℃≦Ｔａ≦Ｔ１＋６０℃を満たすことがさらに好ましい。アニール温度は、第一導電層の材料の組成や含有量等に応じて適宜設定され得る。
【０１２０】
また、前述のごとく、アニール温度Ｔａは、光電変換部５０の耐熱温度よりも低温であることが好ましい。光電変換部の耐熱温度は、光電変換部の構成により異なる。例えば、ヘテロ接合太陽電池や、シリコン系薄膜太陽電池のように透明電極層や非結晶質シリコン系薄膜を有する場合の耐熱温度は２５０℃程度である。そのため、光電変換部が非晶質シリコン系薄膜を備えるヘテロ接合太陽電池や、シリコン系薄膜太陽電池の場合、非晶質シリコン系薄膜およびその界面での熱ダメージ抑制の観点から、アニール温度は２５０℃以下に設定されることが好ましい。より高性能の太陽電池を実現するためにはアニール温度は２００℃以下にすることがより好ましく、１８０℃以下にすることがさらに好ましい。これに伴って、第一導電層７１の低融点材料の熱流動開始温度Ｔ１は、２５０℃未満であることが好ましく、２００℃未満がより好ましく、１８０℃未満がさらに好ましい。
【０１２１】
一方、一導電型結晶シリコン基板の一主面上に逆導電型の拡散層を有する結晶シリコン太陽電池は、非晶質シリコン薄膜や透明電極層を有していないため、耐熱温度は８００℃〜９００℃程度である。そのため、２５０℃よりも高温のアニール温度Ｔａでアニール処理が行われてもよい。
【０１２２】
なお、絶縁層への開口部の形成方法は、上記のように、絶縁層形成後にアニール処理を行う方法に限定されない。例えば、図３（Ｃ’）で示されるように、絶縁層９０の形成と同時に開口部９ｈを形成することもできる。
【０１２３】
例えば、基板を加熱しながら絶縁層が形成されることで、絶縁層の形成と略同時に開口部が形成される。ここで、「絶縁層の形成と略同時」とは、絶縁層形成工程の他に、アニール処理等の別途の工程が行われていない状態、すなわち、絶縁層の製膜中、あるいは製膜直後の状態を意味する。製膜直後とは、絶縁層の製膜終了後（加熱停止後）から、基板が冷却され室温等に戻るまでの間も含むものとする。また、低融点材料上の絶縁層に開口部が形成される場合、低融点材料上の絶縁層の製膜が終わった後であっても、その周辺に絶縁層が製膜されることに追随して、低融点材料周辺の絶縁層に変形が生じ、開口部が形成される場合も含むものとする。
【０１２４】
絶縁層の形成と略同時に開口部を形成する方法としては、例えば、絶縁層形成工程において、第一導電層７１の低融点材料７１１の熱流動開始温度Ｔ１よりも高い温度Ｔｂに基板を加熱しながら、第一導電層７１上に絶縁層９を製膜する方法が用いられる。低融点材料が流動状態となっている第一導電層上に絶縁層９が製膜されるため、製膜と同時に製膜界面に応力が生じ、例えばき裂状の開口が絶縁層に形成される。
【０１２５】
なお、絶縁層形成時の基板温度Ｔｂ（以下、「絶縁層形成温度」）とは、絶縁層の製膜開始時点の基板表面温度（「基板加熱温度」ともいう）を表す。一般に、絶縁層の製膜中の基板表面温度の平均値は、通常製膜開始時点の基板表面温度以上となる。したがって、絶縁層形成温度Ｔｂが、低融点材料の熱流動開始温度Ｔ１よりも高温であれば、絶縁層に開口部等の変形を形成することができる。
【０１２６】
例えば、絶縁層９がＣＶＤ法やスパッタ法等の乾式法により形成される場合は、絶縁層製膜中の基板表面温度を低融点材料の熱流動開始温度Ｔ１よりも高温とすることにより、開口部を形成することができる。また、絶縁層９がコーティング等の湿式法により形成される場合は、溶媒を乾燥する際の基板表面温度を低融点材料の熱流動開始温度Ｔ１よりも高温とすることにより、開口部を形成することができる。なお、湿式法により絶縁層が形成される場合の「製膜開始時点」とは、溶媒の乾燥開始時点を指す。絶縁層形成温度Ｔｂの好ましい範囲は、前記アニール温度Ｔａの好ましい範囲と同様である。
【０１２７】
基板表面温度は、例えば基板表面に温度表示材（サーモラベルやサーモシールとも呼ばれる）や熱電対を貼り付けて測定することができる。また、加熱部（ヒーターなど）の温度は、基板の表面温度が所定範囲となるように適宜に調整することができる。
【０１２８】
絶縁層形成工程においてアニール処理を行う場合、絶縁層の材料および組成、製膜条件（製膜方法、基板温度、導入ガスの種類および導入量、製膜圧力、パワー密度等）を適宜調整することにより、絶縁層に開口部を形成することができる。プラズマＣＶＤ法により絶縁層９が形成される場合、緻密な膜を形成する観点から、絶縁層形成温度Ｔｂは、１３０℃以上が好ましく、１４０℃以上がより好ましく、１５０℃以上がさらに好ましい。また、絶縁層製膜時の基板表面の最高到達温度は、光電変換部の耐熱温度よりも低温であることが好ましい。
【０１２９】
プラズマＣＶＤによる製膜速度は、より緻密な膜を形成する観点から、１ｎｍ／秒以下が好ましく、０．５ｎｍ／秒以下がより好ましく、０．２５ｎｍ／秒以下がさらに好ましい。プラズマＣＶＤにより、酸化シリコンが形成される場合の製膜条件としては、基板温度１４５℃〜２５０℃、圧力３０Ｐａ〜３００Ｐａ、パワー密度０．０１Ｗ／ｃｍ２〜０．１６Ｗ／ｃｍ２が好ましい。絶縁層の形成と略同時に開口部が形成された後、開口部の形成が不十分な箇所がある場合等は、さらに前述のアニール工程が行われてもよい。
【０１３０】
（第二導電層）
上記のように、開口部９ｈを有する絶縁層９が形成された後、第一導電層形成領域の絶縁層９上に第二導電層７２がめっき法により形成される。この際、第二導電層として析出させる金属は、めっき法で形成できる材料であれば特に限定されず、例えば、銅、ニッケル、錫、アルミニウム、クロム、銀、金、亜鉛、鉛、パラジウム等、あるいはこれらの混合物を用いることができる。
【０１３１】
本発明における第二導電層は、上述のように表面粗さＲａ２が１．０μｍ以上１０．０μｍ以下であることが好ましい。上記Ｒａ２の範囲とすることにより、太陽電池モジュール２００を作製する際、導電性接着剤との密着性がより向上し、図８(ｂ)に示すように、集電極と配線部材とを導電性微粒子で導通させることができるため、信頼性をより向上させることが可能となる。この際、Ｒａ２は、１．０μｍ以上が好ましく、３．０μｍ以上がより好ましい。またモジュール作製時に使用する導電性接着剤との密着強度、導電性微粒子での導通の点から１０．０μｍ以下が好ましく、６．０μｍ以下がより好ましい。
【０１３２】
本発明において、上記Ｒａ２とする方法としては、例えば、第二導電層の下に形成される層の表面の凹凸形状を調整する方法、第二導電層の形成条件を調整する方法、機械的研磨法などが挙げられる。前記第二導電層の下に形成される層の表面凹凸を調整する方法としては、上述のように、第一導電層のＲａ１を調整する方法や、その上に形成する絶縁層の表面粗さ（もしくは膜厚、製膜条件、または水との接触角等）を調整する方法などが挙げられる。また第二導電層の形成条件を調整する方法としては、例えばめっき液の温度、めっき時間やめっき時の電流等を調整したり膜厚を制御する方法などが挙げられる。中でも、太陽電池に与えるダメージをより抑制できる観点から、第二導電層の下に形成される層の表面の凹凸形状を調整する方法が好ましく、第二導電層の下に形成される層の表面の凹凸形状を調整し、かつ、第二導電層の形成条件を調整する方法がより好ましい。
【０１３３】
上述のように、Ｒａ２は、絶縁層の表面粗さに影響を及ぼされうる。また絶縁層の表面粗さは、第一導電層のＲａ１に影響を及ぼされうる。従って、Ｒａ１を適宜調整することにより、絶縁層の表面粗さを容易に所定の範囲に調整でき、またＲａ２も容易に所定の範囲に調整することができる。従って、Ｒａ１は、Ｒａ１＞Ｒａ２を満たし、また１．０μｍ以上が好ましく、３．０μｍ以上がより好ましく、６．０μｍ以上がさらに好ましい。
【０１３４】
以上より、Ｒａ１およびＲａ２をいずれも１．０μｍ以上１０．０μｍ以下とし、Ｒａ１＞Ｒａ２とすることにより、第一導電層と第二導電層の密着性を向上させつつ、第二導電層とその上に形成する導電性接着剤との密着性（コンタクト）を向上させることができる。これにより、変換効率が高く、信頼性の高い太陽電池を作製することが可能となる。
【０１３５】
太陽電池の動作時（発電時）には、電流は主として第二導電層を流れる。そのため、第二導電層での抵抗損を抑制する観点から、第二導電層のライン抵抗は、できる限り小さいことが好ましい。具体的には、第二導電層のライン抵抗は、１Ω／ｃｍ以下であることが好ましく、０．５Ω／ｃｍ以下であることがより好ましい。一方、第一導電層のライン抵抗は、電気めっきの際の下地層として機能し得る程度に小さければよく、例えば、５Ω／ｃｍ以下にすればよい。
【０１３６】
第二導電層は、無電解めっき法、電解めっき法のいずれでも形成され得るが、生産性の観点から、電解めっき法を用が好適である。電解めっき法では、金属の析出速度を大きくすることができるため、第二導電層を短時間で形成することができる。
【０１３７】
酸性銅めっきを例として、電解めっき法による第二導電層の形成方法を説明する。図１０は、第二導電層の形成に用いられるめっき装置１０の概念図である。光電変換部上に第一導電層および開口部を有する絶縁層が形成された基板１２と、陽極１３とが、めっき槽１１中のめっき液１６に浸されている。基板１２上の第一導電層７１は、基板ホルダ１４を介して電源１５と接続されている。陽極１３と基板１２との間に電圧を印加することにより、絶縁層９で覆われていない第一導電層の上、すなわちアニール処理により絶縁層に生じた開口部を起点として、選択的に銅を析出させることができる。
【０１３８】
酸性銅めっきに用いられるめっき液１６は銅イオンを含む。例えば硫酸銅、硫酸、水を主成分とする公知の組成のものが使用可能であり、これに０．１〜１０Ａ／ｄｍ２の電流を流すことにより、第二導電層である金属を析出させることができる。適切なめっき時間は、集電極の面積、電流密度、陰極電流効率、設定膜厚等に応じて適宜設定される。また、めっき液温度を変更することで、金属析出のレート、または膜質(表面凹凸)などの調整を可能にする。例えば、めっき液の温度を２０〜４０℃、電流を３〜６Ａ／ｄｍ２、めっき時間を３〜６分程度とすることにより、析出する金属の膜質、具体的には第二導電層の表面粗さ（Ｒ２）などを容易に所定の範囲（Ｒａ１>Ｒａ２）に調整できる。
【０１３９】
第二導電層は、複数の層から構成させても良い。例えば、Ｃｕ等の導電率の高い材料からなる第一のめっき層を、絶縁層の開口部を介して第一導電層上に形成した後、化学的安定性に優れる第二のめっき層を第一のめっき層の表面に形成することにより、低抵抗で化学的安定性に優れた集電極を形成することができる。
【０１４０】
めっき工程の後には、めっき液除去工程を設けて、基板１２の表面に残留しためっき液を除去することが好ましい。めっき液除去工程を設けることによって、アニール処理で形成された絶縁層９の開口部９ｈ以外を起点として析出し得る金属を除去することができる。開口部９ｈ以外を起点として析出する金属としては、例えば絶縁層９のピンホール等を起点とするものが挙げられる。めっき液除去工程によってこのような金属が除去されることによって、遮光損が低減され、太陽電池特性をより向上させることが可能となる。
ここで、一般に、ＩＴＯ等の透明電極層や、酸化シリコン等の絶縁層は親水性であり、基板１２の表面や絶縁層９の表面の水との接触角は、１０°程度あるいはそれ以下である場合が多い。一方、エアーブロー等によるめっき液の除去を容易にする観点からは、基板１２の表面の水との接触角を２０°以上とすることが好ましい。基板表面の接触角を大きくするために、基板１２表面に撥水処理が行われてもよい。撥水処理は、例えば表面への撥水層の形成することにより行われる。撥水処理により、基板表面のめっき液に対する濡れ性を低下させることができる。
【０１４１】
なお、絶縁層９の表面への撥水処理に代えて、撥水性を有する絶縁層９が形成されてもよい。すなわち水との接触角θ大きい（例えば２０°以上）の絶縁層９が形成されることにより、別途の撥水処理工程を省略できるため、太陽電池の生産性をより向上させることができる。絶縁層に撥水性を持たせる方法としては、例えば、絶縁層の製膜条件（例えば、製膜室に導入するシリコン原料ガスと酸素原料ガスの流量比）を変更したプラズマＣＶＤ法により、絶縁層としての酸化シリコン層を製膜する方法が挙げられる。
【０１４２】
本発明においては、集電極形成後（めっき工程後）に絶縁層除去工程が行われてもよい。特に、絶縁層として光吸収の大きい材料が用いられる場合は、絶縁層の光吸収による太陽電池特性の低下を抑制するために、絶縁層除去工程が行われることが好ましい。絶縁層の除去方法は、絶縁層材料の特性に応じて適宜選択される。例えば、化学的なエッチングや機械的研磨により絶縁層が除去され得る。また、材料によってはアッシング（灰化）法も適用可能である。この際、光取り込み効果をより向上させる観点から、第一導電層非形成領域上の絶縁層が全て除去されることがより好ましい。また、絶縁層９上に撥水層が形成されている場合、絶縁層９とともに撥水層も除去されることが好ましい。なお、絶縁層として光吸収の小さい材料が用いられる場合は、絶縁層除去工程が行われる必要はない。
【０１４３】
以上、ヘテロ接合太陽電池の光入射側に集電極７が設けられる場合を中心に説明したが、裏面側にも同様の集電極が形成されてもよい。ヘテロ接合太陽電池のように結晶シリコン基板を用いた太陽電池は、電流量が大きいため、一般に、透明電極層／集電極間の接触抵抗の損失による発電ロスが顕著となる傾向がある。これに対して、本発明では、第一導電層と第二導電層を有する集電極は、透明電極層との接触抵抗が低いため、接触抵抗に起因する発電ロスを低減することが可能となる。
【０１４４】
また、本発明は、ヘテロ接合太陽電池以外の結晶シリコン太陽電池や、ＧａＡｓ等のシリコン以外の半導体基板が用いられる太陽電池、非晶質シリコン系薄膜や結晶質シリコン系薄膜のｐｉｎ接合あるいはｐｎ接合上に透明電極層が形成されたシリコン系薄膜太陽電池や、ＣＩＳ，ＣＩＧＳ等の化合物半導体太陽電池、色素増感太陽電池や有機薄膜（導電性ポリマー）等の有機薄膜太陽電池のような各種の太陽電池に適用可能である。
【０１４５】
結晶シリコン太陽電池としては、一導電型（例えばｐ型）結晶シリコン基板の一主面上に逆導電型（例えばｎ型）の拡散層を有し、拡散層上に前記集電極を有する構成が挙げられる。このような結晶シリコン太陽電池は、一導電型層の裏面側にｐ＋層等の導電型層を備えるのが一般的である。このように、光電変換部が非晶質シリコン層や透明電極層を含まない場合は、低融点材料の熱流動開始温度Ｔ１およびアニール温度Ｔａは、２５０℃より高くてもよい。
【０１４６】
シリコン系薄膜太陽電池としては、例えば、ｐ型薄膜とｎ型薄膜との間に非晶質の真性（ｉ型）シリコン薄膜を有する非晶質シリコン系薄膜太陽電池や、ｐ型薄膜とｎ型薄膜との間に結晶質の真性シリコン薄膜を有する結晶質シリコン系半導体太陽電池が挙げられる。また、複数のｐｉｎ接合が積層されたタンデム型の薄膜太陽電池も好適である。このようなシリコン系薄膜太陽電池では、透明電極層や非晶質シリコン系薄膜の耐熱性を勘案して、低融点材料の熱流動開始温度Ｔ１およびアニール温度Ｔａは２５０℃以下であることが好ましく、２００℃以下であることがより好ましく、１８０℃以下であることがさらに好ましい。
【０１４７】
本発明の太陽電池は、実用に供するに際して、例えば図７（ａ）に示すように、モジュール化されることが好ましい。太陽電池のモジュール化は、適宜の方法により行われる。例えば、集電極に配線部材が接続されることによって、複数の太陽電池セルが直列または並列に接続され、封止剤およびガラス板により封止されることによりモジュール化が行われる。
【０１４８】
前記配線部材と、前記太陽電池との接着は、導電性微粒子を含有する導電性接着剤を用いる方法や、半田付けにより太陽電池と接着される方法などが挙げられるが、熱ダメージをより抑制する観点から、導電性接着剤により太陽電池と接着されることが好ましい。また、前記配線部材により、前記太陽電池と外部回路、もしくは前記太陽電池と他の太陽電池とを接続して太陽電池ストリングを作製することが好ましい。なお、前記他の太陽電池についても、本発明における太陽電池を使用することが好ましい。
【０１４９】
導電性接着剤と配線部材との接着は、加熱処理を行うことにより行われることが好ましい。加熱温度は、光電変換部の耐久温度よりも低いことが好ましい。特に、ヘテロ接合太陽電池など、光電変換部に透明電極層などを有するものを用いる場合、加熱処理は２５０℃程度以下で行うことが好ましい。例えば、１５０℃〜１８０℃で、５秒〜１５秒程度加熱することにより接着することができる。
【０１５０】
導電性接着剤と配線部材との接着は、太陽電池の集電極と配線部材とが破損しない程度の圧力にて行うことができる。ここで、上述のように、集電極が配線部材に埋め込まれることにより生じうる、太陽電池セルの破損をより抑制する観点から、圧力は２ＭＰａ以下がより好ましく、１ＭＰａ以下が更に好ましい。また、集電極と配線部材とを導電性微粒子により確実に導通する目的から、０．０５ＭＰａ以上が好ましく、０．１ＭＰａ以上がより好ましい。上記範囲の圧力にて接着を行うことにより、太陽電池の集電極が配線部材に埋め込まれにくくなり、集電極と配線部材とが導電性接着剤を介して接着させることができる。これにより、太陽電池セルの破損をより抑制できる。
【０１５１】
導電性接着剤３３は、電気的なコンタクトの観点から、図７（ｂ）に示すように、太陽電池の前記集電極７上に形成されていることが好ましい。前記集電極は、前記配線部材と接着される領域の略全面に前記導電性接着剤を有することが好ましく、全面に有することがより好ましい。
【０１５２】
集電極と配線部材が接着される面のうちの「略全面」とは、図７（ｃ’ ）に示すように、９０％以上が導電性接着剤により接することを意味する。９５％以上が好ましく、１００％すなわち全面（図７（ｃ））がより好ましい。すなわち、集電極と配線部材が直接接してないことが好ましい。
【０１５３】
ここで「集電極と配線部材が接着される面」とは、例えば、配線部材の前記集電極側の面積が、集電極の面積よりも小さい場合は、配線部材の前記集電極側の面の面積を意味し、該面積のうちの９０％以上が導電性接着剤により前記集電極と接していれば良い。この際、図７（ｃ’）に示すように、配線部材の一部に導電性接着剤がない場合でも良いし、配線部材の全面に導電性接着剤が付着しており、かつ、配線部材の一部が直接集電極と接している場合（不図示）でも良い。
【０１５４】
上記のように集電極と配線部材を接着させることにより、集電極の略全面が配線部材と接する特許文献７と異なり、モジュールの破損を抑制させたまま密着性を向上させることができる。この際、本発明においては、集電極として前記Ｒａ２を有する第二導電層を使用した場合、上述のように、集電極と配線部材が接着される面の略全面が導電性接着剤により接することができる。中でも、集電極と配線部材の密着性をより向上させ、また破損をより抑制できる観点から、上述のように、図８(ｂ)に示すように、配線部材と集電極が前記導電性接着剤を介して（すなわち集電極とは配線部材とは接することなく）導通されていることが好ましい。
【０１５５】
上記は、集電極のバスバー電極上に導電性接着剤を介して配線部材を接着させた場合であるが、これに限定されるものではない。例えば、図７(ｅ)に示すように、バスバーレスセルのフィンガー電極上に導電性接着剤を介して配線部材を接着させる場合でもよい。
【０１５６】
なお、集電極と配線部材の接着面は、例えば、集電極と配線部材とが交差する、集電極の線幅方向に平行な断面において、光学顕微鏡などにより該断面を観察することにより求めることができる。断面は、例えば、測定サンプルを樹脂で包埋後、機械研磨により形成することができる。また光学顕微鏡を用いた場合、例えば８０倍〜１００倍程度で観察することで求めることができる。
【０１５７】
前記導電性接着剤は、例えば導電性微粒子を樹脂ペーストに添加したものを用いることができる。ここで、樹脂ペーストとしては、例えば、エポキシ樹脂が用いられるが、イミド樹脂、フェノール樹脂等でも構わない。導電性接着剤の厚みは、集電極と配線部材とを確実に接着させるという観点から０．０１〜０．０５ｍｍが好ましく、コストの観点から０．０２ｍｍ〜０．０３ｍｍがより好ましい。
【０１５８】
導電性粒子としては、例えば、Ｎｉ、Ａｕ、Ａｇ、Ｃｕ、Ｚｎ、Ｉｎ等の金属粉に加え、炭素粉等の導電性の紛体などでも構わない。さらに、導電性粒子は金属粉やエポキシ、アクリル、ポリイミド、フェノール等からなる粒子の表面を金属膜でコーティングしたものを用いる事も出来るが、コストや信頼性の観点からＮｉもしくはＡｇコートＣｕがより好ましい。また、平均粒径は、コストや加工のしやすさの観点から、１〜３０μｍ、好ましくは平均粒径５〜１５μｍ、平均粒径１０μｍ程度の大きさがより好ましい。
【０１５９】
配線部材の材料は、特に制限されないが、図７（ｄ）に示すように、表面が半田層で被覆された銅箔からなるものを用いることが好ましい。半田を銅箔の表面に形成することにより、銅箔の表面の腐食を防止する効果が期待できる。また、配線材で反射された光による電流向上の効果も期待できる。
【０１６０】
半田を構成する材料としては、Ｓｎを主成分として、Ｃｕ、Ｎｉ、Ａｇ、Ｐｂの内選ばれた１種以上の元素を有する合金半田で行うことが好ましい。例えば、Ｓｎが９６．５質量％、Ａｇが３．０質量％、Ｃｕが０．５質量％の合金、Ｓｎが９９〜９９．５質量％、Ｃｕが０．５〜１．０質量％の合金、Ａｇが１〜１．５質量％、Ｂｉが３０〜６０質量％、残りがＳｎを主成分とする合金、Ｓｎが６０質量％、Ｐｂが４０％質量％の合金、Ｃｕが０．０５〜２．０質量％、Ｎｉが０．００１〜２．０質量％、残りがＳｎを主成分とする合金などとし、その他Ｓｎを主成分としてＣｕ、Ｎｉ、Ａｇ、Ｂｉ、Ｉｎなどを含む合金とすることが好ましい。コストの観点からＳｎが９９〜９９．５質量％、Ｃｕが０．５〜１．０質量％の合金が好ましい。また、半田層の厚みは銅箔の酸化を防ぐために最低限の厚みでよく、２０μｍ以下が好ましい。半田メッキ工程の厚みバラツキの安定性、コストの観点から１０μｍ程度がより好ましい。
【０１６１】
次に、図７（ａ）に示すように、受光面側保護材上に、封止材、太陽電池ストリング、封止材及び裏面側保護材を順次積層して積層体とすることが好ましい。 次に、上記積層体を所定条件で加熱することにより、封止材を硬化させることが好ましい。そしてＡｌフレーム等を取り付けることで太陽電池モジュール２００を作製することができる。
【０１６２】
受光面側保護材は、複数の太陽電池それぞれの受光面側（光入射面側）に配置し、太陽電池の表面を保護することが好ましい。受光面側保護材としては、透光性及び遮水性を有するガラス、透光性プラスチック等を用いることができる。裏面側保護材は、複数の太陽電池それぞれの裏面側に配置し、太陽電池の裏面を保護することが好ましい。裏面側保護材としては、ポリエチレンテレフタレート（ＰＥＴ）等の樹脂フィルム、Ａｌ箔を樹脂フィルムでサンドイッチした構造を有する積層フィルム等を用いることができる。
【０１６３】
封止材は、受光面側保護材と裏面側保護材との間で太陽電池ストリングを封止する。封止材としては、エチレン酢酸ビニル共重合樹脂（ＥＶＡ），エチレンーエチルアクリレート共重合樹脂（ＥＥＡ），ポリビニルブチラール樹脂（ＰＶＢ），シリコン、ウレタン、アクリル、エポキシ等の透光性の樹脂を用いることができる。
【０１６４】
以上のようにして太陽電池モジュール２００を作製することができるが、上記に限定されるものではない。
【実施例】
【０１６５】
以下、図２に示すヘテロ接合太陽電池に関する実施例を挙げて、本発明を具体的に説明するが、本発明は以下の実施例に限定されるものではない。
【０１６６】
（表面粗さ測定）
第一導電層または第二導電層の表面を、キーエンス社製のレーザー顕微鏡ＶＫ−８５１０を用いて、ＪＩＳ  Ｂ  ０６０１：２００１（ＩＳＯ  ４２８７：１９９７に対応）に基づいて、表面粗さＲａを測定した。
（粘度測定）
印刷ペーストの粘度は、株式会社ブルックフィールド社製の回転式粘度計により、溶液温度２５℃回転速度１０ｒｐｍで測定した。
（集電極と配線部材の断面観察）
測定サンプルを樹脂で包埋後、機械研磨により、集電極と配線部材が交差する領域において該集電極の線幅方向の断面を作製し、オリンパス社製の光学顕微鏡ＢＸ５１を用いて、８０倍に拡大し、光学顕微鏡観察を行った。
【０１６７】
（実施例１）
実施例１のヘテロ接合太陽電池を、以下のようにして製造した。
【０１６８】
一導電型単結晶シリコン基板として、入射面の面方位が（１００）で、厚みが２００μｍのｎ型単結晶シリコンウェハを用い、このシリコンウェハを２重量％のＨＦ水溶液に３分間浸漬し、表面の酸化シリコン膜が除去された後、超純水によるリンスが２回行われた。このシリコン基板を、７０℃に保持された５／１５重量％のＫＯＨ／イソプロピルアルコール水溶液に１５分間浸漬し、ウェハの表面をエッチングすることでテクスチャが形成された。その後に超純水によるリンスが２回行われた。原子間力顕微鏡（ＡＦＭ  パシフィックナノテクノロジー社製）により、ウェハの表面観察を行ったところ、ウェハの表面はエッチングが最も進行しており、（１１１）面が露出したピラミッド型のテクスチャが形成されていた。
【０１６９】
エッチング後のウェハがＣＶＤ装置へ導入され、その光入射側に、真性シリコン系薄膜２ａとしてｉ型非晶質シリコンが５ｎｍの膜厚で製膜された。ｉ型非晶質シリコンの製膜条件は、基板温度：１７０℃、圧力：１００Ｐａ、ＳｉＨ４／Ｈ２流量比：３／１０、投入パワー密度：０．０１１Ｗ／ｃｍ２であった。なお、本実施例における薄膜の膜厚は、ガラス基板上に同条件にて製膜された薄膜の膜厚を、分光エリプソメトリー（商品名Ｍ２０００、ジェー・エー・ウーラム社製）にて測定することにより求められた製膜速度から算出された値である。
【０１７０】
ｉ型非晶質シリコン層２ａ上に、逆導電型シリコン系薄膜３ａとしてｐ型非晶質シリコンが７ｎｍの膜厚で製膜された。ｐ型非晶質シリコン層３ａの製膜条件は、基板温度が１７０℃、圧力６０Ｐａ、ＳｉＨ４／Ｂ２Ｈ６流量比が１／３、投入パワー密度が０．０１Ｗ／ｃｍ２であった。なお、上記でいうＢ２Ｈ６ガス流量は、Ｈ２によりＢ２Ｈ６濃度が５０００ｐｐｍまで希釈された希釈ガスの流量である。
【０１７１】
次にウェハの裏面側に、真性シリコン系薄膜２ｂとしてｉ型非晶質シリコン層が６ｎｍの膜厚で製膜された。ｉ型非晶質シリコン層２ｂの製膜条件は、上記のｉ型非晶質シリコン層２ａの製膜条件と同様であった。ｉ型非晶質シリコン層２ｂ上に、一導電型シリコン系薄膜３ｂとしてｎ型非晶質シリコン層が４ｎｍの膜厚で製膜された。ｎ型非晶質シリコン層３ｂの製膜条件は、基板温度：１７０℃、圧力：６０Ｐａ、ＳｉＨ４／ＰＨ３流量比：１／２、投入パワー密度：０．０１Ｗ／ｃｍ２であった。なお、上記でいうＰＨ３ガス流量は、Ｈ２によりＰＨ３濃度が５０００ｐｐｍまで希釈された希釈ガスの流量である。
【０１７２】
この上に透明電極層６ａおよび６ｂとして、各々酸化インジウム錫（ＩＴＯ、屈折率：１．９）が１００ｎｍの膜厚で製膜された。ターゲットとして酸化インジウムを用い、基板温度：室温、圧力：０．２Ｐａのアルゴン雰囲気中で、０．５Ｗ／ｃｍ２のパワー密度を印加して透明電極層の製膜が行われた。裏面側透明電極層６ｂ上には、裏面金属電極８として、スパッタ法により銀が５００ｎｍの膜厚で形成された。光入射側透明電極層６ａ上には、第一導電層７１および第二導電層７２を有する集電極７が以下のように形成された。
【０１７３】
第一導電層７１の形成には、低融点材料としてのＳｎＢｉ金属粉末（粒径ＤL＝２５μｍ、融点Ｔ１＝１４１℃）と、高融点材料としての銀粉末（粒径ＤH＝２〜３μｍ、融点Ｔ２＝９７１℃）とを、２０：８０の重量比で含み、さらにバインダー樹脂としてエポキシ系樹脂を含む印刷ペーストが用いられた（粘度＝８０Ｐａ・ｓ）。この印刷ペーストを、集電極パターンに対応する開口幅（Ｌ＝８０μｍ）を有する＃２３０メッシュ（開口幅：ｌ＝８５μｍ）のスクリーン版を用いて、スクリーン印刷し、９０℃で乾燥が行われた。
【０１７４】
第一導電層７１が形成されたウェハが、ＣＶＤ装置に投入され、絶縁層９として酸化シリコン層（屈折率：１．５）が、プラズマＣＶＤ法により１００ｎｍの厚みで光入射面側に形成された。
【０１７５】
絶縁層９の製膜条件は、基板温度：１３５℃、圧力１３３Ｐａ、ＳｉＨ４／ＣＯ２流量比：１／２０、投入パワー密度：０．０５Ｗ／ｃｍ２（周波数１３．５６ＭＨｚ）であった。この条件で光入射面側に形成された絶縁層の屈折率（ｎ）および消衰係数（ｋ）は図１１に示す通りであった。その後、絶縁層形成後のウェハが熱風循環型オーブンに導入され、大気雰囲気において、１８０℃で２０分間、アニール処理が実施された。  
【０１７６】
以上のようにアニール工程までが行われた基板１２が、図１０に示すように、めっき槽１１に投入された。めっき液１６には、硫酸銅五水和物、硫酸、および塩化ナトリウムが、それぞれ１２０ｇ／ｌ、１３０ｇ／ｌ、および７０ｍｇ／ｌの濃度となるように調製された溶液に、添加剤（上村工業製：品番ＥＳＹ−２Ｂ、ＥＳＹ−Ｈ、ＥＳＹ−１Ａ）が添加されたものが用いられた。このめっき液を用いて、温度２５℃、電流４Ａ／ｄｍ２の条件でめっきが行われ、第一導電層７１上の絶縁層上に、１０μｍ程度の厚みで第二導電層７２として銅が均一に析出した。第一導電層が形成されていない領域への銅の析出はほとんど見られなかった。
【０１７７】
その後、レーザー加工機によりセル外周部のシリコンウェハが０．５ｍｍの幅で除去され、本発明のヘテロ接合太陽電池が作製された。
【０１７８】
次に導電性接着剤３３として、エポキシ樹脂からなる樹脂中に、約１０μｍ程度の球状のＮｉ粒子が８ｗｔ％程度混合された導電性樹脂を、第二導電層として使用されるバスバー電極上に塗布し、その上に厚み１０μｍの半田層でめっきされた銅箔からなる配線部材を配置した後、１ＭＰａの圧力を加えた。１８０℃、１５秒圧力を加えることで、エポキシ樹脂を硬化させた。
この際、集電極（第二導電層）は、配線部材に埋め込まれていなかった。すなわち、第二導電層の配線部材と接する面の全面が前記導電性接着剤で覆われており、導電性微粒子により集電極と配線部材とが導通されていた。
【０１７９】
以上の様にして、配線部材３４を張り付けた太陽電池を用い、ガラス、ＥＶＡ（封止材）、太陽電池、ＥＶＡ、及び裏面保護シートの順に積層させた。その後、大気圧での加熱圧着を５分間行い、ＥＶＡ樹脂で太陽電池をモールドした。続いて、１５０℃にて５０分間保持して、ＥＶＡ樹脂を架橋させて太陽電池モジュール２００とした。
【０１８０】
（実施例２〜３、参考例２）
第一導電層７１形成用印刷ペーストの粘度および低融点材料径が表１に示すように変更された点を除いて、実施例１と同様にしてヘテロ接合太陽電池が作製された。
【０１８１】
（実施例４、参考例１）
第一導電層７１形成用印刷ペーストの粘度および第一導電層７１形成用の印刷ペースト中の低融点材料が、粒径ＤＬ＝０．３〜０．７μｍの銀微粒子に変更され、高融点材料が用いられなかった点を除いて、実施例１と同様にしてヘテロ接合太陽電池が作製された。
【０１８２】
(実施例５)
集電極と配線部材とを接続する工程での圧力が２ＭＰａに変更され、さらに第一導電層７１形成用印刷ペーストの粘度および低融点材料径が表１に示すように変更された点を除いて、実施例１と同様にしてヘテロ接合太陽電池が作製された。実施例５では、断面観察した際に、集電極は、配線部材に埋め込まれていなかった。すなわち略全面が導電性接着剤により接着されていた。
【０１８３】
(参考例３)
集電極と配線部材とを接続する工程での圧力が２ＭＰａに変更され、さらに第一導電層７１形成用印刷ペーストの粘度および低融点材料径が表１に示すように変更された点を除いて、実施例１と同様にしてヘテロ接合太陽電池が作製された。参考例３では、断面観察した際に、集電極と配線部材は略全面が導電性接着剤により接着されており、集電極の配線部材との接する面の一部（１０％程度以下）が配線部材と接していた。
【０１８４】
（比較例１）
第一導電層形成用の印刷ペーストとして、低融点材料を含まない銀ペースト（すなわち金属材料粉末と銀粉末との比率を０：１００としたもの）が用いられた点を除いて、実施例１と同様にして第一導電層（銀電極）７１の形成までが行われた。その後、絶縁層形成工程、アニール工程、第二金属層形成工程のいずれも実施せず、この銀電極を集電極とするヘテロ接合太陽電池が作製された。
【０１８５】
（比較例２、３）
第一導電層７１形成用低融点材料及び材料径が表１に示すように変更された点を除いて、実施例１と同様にしてヘテロ接合太陽電池が作製された。その後、絶縁層形成工程およびアニール工程を実施することなく、めっき法により第二導電層が形成された。比較例２，３では、第二導電層を形成することができたものの、めっき処理中に透明電極層が完全にエッチングされる不具合が生じており、太陽電池として機能するものが得られなかった。
【０１８６】
（太陽電池セル特性測定）
各実施例、参考例および比較例のヘテロ接合太陽電池セルの太陽電池特性の測定を行った。また、比較例１に示す方法において作製した太陽電池セルにおける太陽電池特性評価結果を基準（１．０）とし、実施例、参考例、比較例に係る太陽電池セルにおける太陽電池特性（セル性能）の評価結果を比較する事により、出力の相関を評価した。
【０１８７】
（剥離強度試験）
めっき前後の集電極の表面粗さと、該集電極と配線部材とを、導電性接着剤を用いて貼り付けた際の剥離強度との関係を検証した。
【０１８８】
具体的には、図８（ａ）、図９（ａ）に示すように、各実験例で得られた太陽電池の集電極の上に、幅：１ｍｍ、長さ:１００ｍｍ、厚さ：１００μｍの銅箔を、導電性接着剤３３を用いて接着した。この際、第二導電層がめっきにより形成されたものは、めっき前後が各々、第一導電層と第二導電層の表面粗さ（Ｒａ１とＲａ２）を求め、第二導電層上に前記導電性接着剤を形成し、配線部材と接着させた。一方、比較例１など、めっきを行わなかったものについては、めっき前後の第一導電層の表面粗さ（Ｒａ１）を求めた。
【０１８９】
ここで、導電性微粒子を含有する導電性接着剤３３としては、平均粒子径が１０μｍであるＮｉフィラーを約８質量％含有するエポキシ系樹脂からなり、幅:１ｍｍ、長さ:５０ｍｍ、厚さ：２５μｍのフィルム状導電性接着剤を用いた。この導電性接着剤３３を介して、第二導電層７２の上に、配線部材（銅箔）を配置し、１８０℃で、１５秒、１．０ＭＰａで押圧することにより、銅箔を接着した。
【０１９０】
その後、剥離強度試験器（ＩＭＡＤＡ社製  ＭＸ−２０００Ｎ）を用いて、銅箔の法線方向に沿って、４０ｍｍ／分の速度で配線部材（銅箔）を引張り、銅箔が剥離したときの最大荷重を剥離強度（ｇ）として求めた。
【０１９１】
また、比較例１に示す方法において作製した太陽電池セルにおける剥離強度と、実施例、参考例、比較例に係る太陽電池セルにおける剥離強度を比較する事により、出力の相関を評価した。
【０１９２】
（セル破損率）
実施例、参考例、比較例に係る太陽電池と配線部材とを導電性接着剤を用いて接続した際のセル破損率を評価した。それぞれの太陽電池を１０〜２０枚作製し、破損したセル枚数を処理した枚数で割った割合を評価した。
【０１９３】
（温度サイクル試験）
実施例、参考例、比較例に係る太陽電池モジュールにおいて、ＪＩＳ  Ｃ  ８９１７に従い、温度サイクル試験を実施した。具体的には、温度サイクル試験を実施する前のモジュール出力と、温度サイクル試験を実施した後のモジュール出力を比較する事により、出力の相関を評価した。また各実施例、参考例、比較例において作製した太陽電池モジュールにおける温度サイクル試験前の出力を各々１とし、温度サイクル試験実施後の出力すなわち、サイクル試験前後の保持率（モジュール性能）を比較する事により、出力の相関を評価した。保持率は、９５％以上を合格とした。
【０１９４】
上記の結果をまとめたものを表１に示す。
【０１９５】
【表１】
2014229877.tif 000003
【０１９６】
各実施例において、めっき工程により第二導電層として銅が析出したのは、アニール処理により第一導電層形成領域上の絶縁層に開口部が形成され、第一導電層がめっき液と接触（導通）し、この開口部を析出の起点として、めっきが行われたためである。
【０１９７】
表１から、第一導電層７１形成用印刷ペーストの粘度または低融点材料径を変更することにより、第一導電層表面の表面粗さＲａ１を適宜調整できることがわかる。また第二導電層の形成条件を同じにした場合、Ｒａ１の調整に伴い第二導電層表面の表面粗さＲａ２をも調整できることがわかる。実施例１と、実施例２もしくは実施例３と、参考例２と、を比較することにより、印刷ペーストの粘度を高くすると、第一導電層表面の表面粗さＲａ１を大きくでき、それに伴い、第二導電層表面の表面粗さＲａ２をも大きくできることがわかる。また、実施例１と、実施例３もしくは実施例２と、参考例２と、を比較することにより、低融点材料径を大きくすると、第一導電層表面の表面粗さＲａ１、第二導電層表面の表面粗さＲａ２を大きくできることがわかる。この結果から、上記実施形態において、第一導電層７１形成用印刷ペーストの粘度または低融点材料径などを変更させることにより、第一導電層表面の表面粗さＲａ１や、第二導電層表面の表面粗さＲａ２を制御できると考えられる。
【０１９８】
各実施例及び各参考例と比較例１とのセルにおける太陽電池特性（セル性能）の比較から、本発明の太陽電池は、銀ペースト電極からなる集電極を有する従来の太陽電池に比べて、太陽電池セル特性が向上している。これは、実施例の太陽電池においては、集電極の抵抗が低くなり、曲線因子が向上したためと考えられる。
【０１９９】
また、比較例１，２と、参考例１と、を比較すると、いずれもＲａ１は１．０μｍ以下で同程度であったにも拘らず、比較例１と比較例２ではＲａ１＝Ｒａ２になり、参考例１ではＲａ１＞Ｒａ２となった。これは、参考例１では、第一導電層と第二導電層の間に、絶縁層を有しており、該絶縁層が第二導電層の表面粗さＲａ２に寄与したためと考えられる。また、本発明のめっき条件もＲａ２に寄与したと考えられる。
【０２００】
実施例と参考例の比較より、Ｒａ１が１．０μｍ程度の小さい範囲では、Ｒａ１が大きくなるにつれてセル特性が向上した。またＲａ１が１．０μｍ以上の実施例と、Ｒａ１＝１１．３μｍの参考例２では、セル特性がほぼ同程度になった。これは、Ｒａ１が１．０μｍ以上となることで、第一導電層と第二導電層の密着性が向上したためと考えられる。
【０２０１】
剥離強度に関し、実施例および参考例は、比較例１に比べて剥離強度が向上した。また参考例と実施例を比べると、Ｒａ１とＲａ２が１．０μｍ未満の参考例１に比べて、１．０μｍ以上の実施例では剥離強度がより向上した。また実施例４，１，２を比較すると、Ｒａ１とＲａ２が１．０μｍから大きくなるにつれて剥離強度も向上した。一方、実施例２，３と参考例２を比較すると、Ｒａ１とＲａ２がさらに大きくなるにつれて剥離強度が少し減少した。この結果から、Ｒａ１が６．０〜８．０μｍ、Ｒａ２が３．０〜６．０μｍ程度が最も剥離強度が強くなると考えられる。
【０２０２】
また、比較例２と参考例１、比較例３と実施例３を各々比較すると、比較例２と参考例１はＲａ１やＲａ２が０．８μｍ程度、比較例３と実施例３はＲａ１が９．０μｍ程度、Ｒａ２が８．０μｍ程度でほぼ同程度あるのに対し、剥離強度は、参考例１、実施例３の方が大きくなった。これは、参考例１と実施例３では、第一導電層と第二導電層の間に絶縁層を有するため、第一導電層と第二導電層の密着性が向上し、剥離強度にも寄与したためと考えられる。
【０２０３】
剥離強度は主に、第一導電層と第二導電層との密着性、また第二導電層と導電性接着剤等の接着剤との密着性に影響を及ぼされていると考えられることから、Ｒａ１を６．０〜８．０μｍ程度にすることにより、第一導電層と第二導電層との密着性がより向上し、またＲａ２を３．０〜６．０μｍとすることにより、第二導電層と接着剤との密着性がより向上すると考えられる。これは、上記範囲のＲａ１やＲａ２とすることで、最も高いアンカー効果が得られるためと考えられる。
【０２０４】
また、太陽電池と配線部材との接続圧力を２ＭＰａに変更した実施例５と参考例３を各々比較すると、セル破損率は実施例５の方がより低くなった。これは、参考例３ではＲａ１、Ｒａ２が１０μｍより大きく、粗いため、集電極と配線部材が接触し、接触点を起点にセルが破損しやすくなったのに対し、実施例５ではＲａ２が１０μｍ以下（Ｒａ２＝５．０μｍ程度）と比較的小さいため、集電極と配線部材とが接触しにくくなり、よりセル破損率が低くなったと考えられる。
【０２０５】
各実施例と各参考例、及び比較例１とのモジュールにおける出力評価（保持率）の比較から、各実施例と各参考例の太陽電池モジュールは、銀ペースト電極からなる集電極を有する従来の太陽電池に比べて、温度サイクル試験後のモジュール効率が向上している。これは、各実施例及び各参考例の太陽電池においては、セル性能が高いことに加え、第一導電層と第二導電層の密着強度または第二導電層と導電性接着剤との密着強度が高いため、温度サイクル試験における信頼性が高くなったと考えられる。
【０２０６】
また、各実施例は各参考例と比べてモジュールに対する温度サイクル試験後の保持率が向上した。またモジュール性能は、上述した剥離強度と概ね同様の傾向となり、Ｒａ１が６．０〜８．０μｍ程度、Ｒａ２が３．０〜６．０μｍ程度の実施例１、２、実施例５で特に高くなった。これはＲａ１を大きくすることで第一導電層と第二導電層の密着強度が向上し、またＲａ１＞Ｒａ２を満たし、かつ、Ｒａ２を１．０μｍ以上１０．０μｍ以下とすることで第二導電層と導電性接着剤との密着強度が向上したためであると考えられる。
【０２０７】
以上、実施例を用いて説明したように、本発明によれば、絶縁層のパターニングを行うことなく、太陽電池の集電極を作製することができるため、高出力の太陽電池を低コストで提供することが可能となる。
【符号の説明】
【０２０８】
１．一導電型単結晶シリコン基板
２．真性シリコン系薄膜
３．導電型シリコン系薄膜
６．透明電極層
７．集電極
７１．第一導電層
７１１．低融点材料
７２．第二導電層
８．裏面金属電極
９．絶縁層
９ｈ．開口部
１２．基板
１３．陽極
１４．基板ホルダ
１５．電源
１６．めっき液
３３．導電性接着剤
３４．配線部材
２００．太陽電池モジュール
【図４】
2014229877.tif 000004
【図５】
2014229877.tif 000005
【図１０】
2014229877.tif 000006
【図１１】
2014229877.tif 000007
【図１】
2014229877.tif 000008
【図２】
2014229877.tif 000009
【図３】
2014229877.tif 000010
【図６】
2014229877.tif 000011
【図７】
2014229877.tif 000012
【図８】
2014229877.tif 000013
【図９】
2014229877.tif 000014